(57)【要約】      （修正有）【課題】複数のディスプレイ表面とのユーザの手動のもしくはジェスチャの複数のインタラクションを通じて決定されたフレキシブルな複数のディスプレイ表面の形状、場所及び方位に基づいて、コンピュータシステムへの入力を獲得する一連の複数のインタラクション技術を提供する。【解決手段】コンピュータシステムへの入力は、複数のディプレイ表面又はある他のディスプレイ１０３もしくはコンピューティングシステム上に表示されたグラフィックコンテンツ及び機能性を変更するために使用される。コンピュータシステムへの入力は、その本体内部に関連するコンピューティング装置及びその表面上に湾曲されたマルチタッチディスプレイを有するインタラクティブ食品もしくは飲料容器並びにインタラクティブ電子食品もしくは飲料容器を補給するための使用の複数の方法及び装置に使用される。【選択図】図１４
2015232901.tif 000002
【特許請求の範囲】
【請求項１】
再使用可能な携帯用のインタラクティブな装置であって、
ａ．カスタマイズ化された蓋と、
ｂ．複数の入出力装置の選択と、
ｃ．フレキシブル電子インク、フレキシブル有機発光ダイオード、フレキシブルＬＥＤの複数のアレイ、投影、レーザ、およびペイント可能なディスプレイからなるグループから選択された湾曲したディスプレイ技術を有する容器部と、
バッテリ、電源コネクタ、ネットワークコネクタ、視聴覚コネクタ、中央演算処理装置、無線ネットワーク送受信機、グラフィックス回路ボード、ＲＡＭメモリ、ファームウェアＲＯＭ、フラッシュおよびハードディスクドライブからなるグループから選択されたコンピューティング装置を備えたベースとを備えていることを特徴とする装置。
【請求項２】
上記複数の入出力装置は、１つもしくはそれ以上の６ＤＯＦの加速度計、ジャイロスコープ、曲げセンサタッチスクリーン、容量タッチセンサ、心拍センサ、電気皮膚コンダクタセンサ、アルファダイアル電位差計、ビデオカメラ、スチルカメラ、湿度計、液体レベルセンサ、高度計、温度計、力センサ、圧力センサ、マイクロフォン、ＧＰＳ、複数のボタン、光電子センサ、近接センサ、電子支払いシステム、１つもしくはそれ以上のＲＦＩＤタグ、指紋リーダ、水の浄化システム、紫外線光浄化システム、炭素ろ過システム、化学のもしくは有機の内容分析器、バクテリア内容分析器、増幅器システム、スピーカシステム、およびコンパスから構成されるグループから選択されたことを特徴とする請求項１記載の装置。
【請求項３】
上記複数の入出力装置は、上記カスタマイズ化された蓋の上に配置されることを特徴とする請求項２記載の装置。
【請求項４】
上記容器のフォームファクタは、複数の飲料の格納および消費を可能とすることを特徴とする請求項１記載の装置。
【請求項５】
上記容器のフォームファクタは、固体のもしくは半固体の複数の食品アイテム、または固体と半固体の複数の食品アイテムを複数の液体を用いて組み合わせたものの閉じ込めと消費を可能とすることを特徴とする請求項１記載の装置。
【請求項６】
センサにより湾曲されたディスプレイ表面との手動の複数のインタラクションを検知することによりコンピュータシステムへの入力を提供するための方法であって、上記複数のインタラクションは、
ａ．１本または２本の手で上記湾曲されたディスプレイ表面を保持することにより、湾曲されたディスプレイ表面と関連する上記コンピュータシステムへの入力としての役目を果たすホールディングと、
ｂ．複数の湾曲されたディスプレイを配置し、照合もしくは積み重ねることにより、個々の複数のディスプレイから構成される１つの連続したディスプレイを作り出し、その後の複数の入力がより大きいディスプレイ表面上で操作されるコロケイティングまたはスタッキングと、
ｃ．ある軸のまわりに上記湾曲されたディスプレイを回転させることにより、上記ディスプレイと関連する上記コンピュータシステムへの入力として役目を果たすターニングまたはロウテイティングと、
ｄ．上記湾曲されたディスプレイを上記湾曲されたディスプレイのある軸と非同軸であるが平行である軸のまわりを移動させることにより、上記湾曲されたディスプレイと関連する上記コンピュータシステムへの入力の手段としての役目を果たすスワーリングと、
ｅ．湾曲されたディスプレイのトップもしくはボトムの複数の先端に沿って、または上記ディスプレイのまさに上へもしくは下へと１本もしくはそれ以上の指を移動させることにより、上記ディスプレイと関連する上記コンピュータシステムへの入力として役目を果たす非平面ストリップスワイピングと、
ｆ．湾曲されたディスプレイ上の閾値近接範囲内に３本の指を置くことにより、上記湾曲されたディスプレイと関連する上記コンピュータシステムへの入力として役目を果たす３本指による非平面ピンチングと、
ｇ．湾曲されたディスプレイ上の固定化された場所の上に第１の指を置く一方で続いて上記ディスプレイの上に第２の指を置き、続いて上記第２の指を上記第１の指から離して移動させることにより、上記ディスプレイと関連する上記コンピュータシステムへの入力としての役目を果たすピンニングアンドスワイピングと、
ｈ．１つの場所で湾曲されたディスプレイを変形させることにより、上記ディスプレイと関連するコンピュータシステムへの入力として役目を果たすデフォーミングと、
ｉ．手、指、もしくはあるツールがその表面上にわたる正弦曲線のパタンで移動される湾曲されたディスプレイ上を擦る動作を提供することにより、上記ディスプレイと関連する上記コンピュータシステムへの入力としての役目を果たすラビングと、
ｊ．湾曲されたディスプレイを傾けることにより、上記ディスプレイと関連する上記コンピュータシステムへの入力としての役目を果たすチルティングと、
ｋ．湾曲されたディスプレイを急速に傾けて、止めて、オプション的にそのおおよその元の方位に戻すことにより、上記ディスプレイと関連する上記コンピュータシステムへの入力としての役目を果たすフリッキングまたはトッスィングと、
ｌ．電子食品もしくは飲料容器を表面上に置いて離すことにより、上記容器と関連する上記コンピュータシステムへの入力としての役目を果たすレスティング（レストすること）と、
ｍ．電子食品もしくは飲料容器を口に持っていくこと、上記容器から飲料を飲むこと、または上記容器を満たすことから構成されるグループから選択された動作により、上記容器に関連する上記コンピュータシステムへの入力としての役目を果たすドリンキング、フィリングおよび流動体レベルと、
ｎ．電子食品もしくは飲料容器の蓋を開閉することにより、上記容器に関連する上記コンピュータシステムへの入力としての役目を果たすオープニングおよびクロージングと、
ｏ．第２の上記容器の上方に電子食品もしくは飲料容器を保持し、続けて上記第１の容器を傾けることにより、容器のいずれかもしくは両方と関連する上記コンピュータシステムへの入力としての役目を果たすマルチデバイスポアリングと、
ｐ．ユーザの１本もしくはそれ以上の指を湾曲されたディスプレイ表面の指定された部分に置くことにより、関連した複数の指紋が上記ユーザによる上記湾曲されたディスプレイ表面上の情報へのアクセスを認証する目的で分析される指紋スキャニングと、
ｑ．ユーザの上記容器上の情報へのアクセスを認証する目的で上記ユーザの顔が電子食品もしくは飲料容器により識別される顔検出と、
から構成されるグループから選択されることを特徴とする方法。
【請求項７】
上記センサは、１つもしくはそれ以上の６ＤＯＦ加速度計、ジャイロスコープ、ベンドセンサ、タッチスクリーン、容量タッチセンサ、心拍センサ、電気皮膚コンダクタセンサ、アルファダイアル電位差計、赤外線コンピュータ視覚のもしくは動き捕捉センサ、ビデオカメラ、スチルカメラ、湿度計、液体レベルセンサ、電位差液体化学センサ、高度計、温度計、力センサ、圧力センサ、マイクロフォン、ＧＰＳ、複数のボタン、光電子センサ、近接センサ、１つもしくはそれ以上のＲＦＩＤタグ、指紋リーダ、およびコンパスとから構成されるグループから選択されることを特徴とする請求項６記載の方法。
【請求項８】
上記コンピュータシステムへの上記入力は、ある命令を上記コンピュータシステム上で実行させ、上記命令は、
ａ．上記コンピュータシステムのソフトウェアおよびディスプレイがスリープから目を覚まし、スクリーンセーバもしくはエネルギーが削減された状態を無効化し、または広告アクティビティを有効化するアクティベイト（アクティブにすること）と、
ｂ．上記コンピュータのソフトウェアおよびディスプレイがスリープの状態となり、スクリーンセーバもしくは削減された状態を有効化し、または広告アクティビティを無効化するデアクティベイト（非アクティブにすること）と、
ｃ．上記ディスプレイ上にレンダリングされたファイルもしくはドキュメントの画像もしくはコンテンツが広げられ、もしくは拡大されるズームインまたはエンラージと、
ｄ．上記ディスプレイ上にレンダリングされたファイルもしくはドキュメントの画像もしくはコンテンツが縮められ、もしくはズームアウトされるズームアウトまたはレデュースと、
ｅ．上記１つもしくは複数のディスプレイ表面上と関連する、もしくは表示している１つもしくは複数のファイル、デジタル情報、テキスト、複数の画像、もしくは他のコンピュータコンテンツが、物理的な命令などの物理的なコンピュータシステムの複数の特性を整合するという方法において編成され、またはデジタル的にソートされるオーガナイズと、
ｆ．ファイル、ドキュメントもしくはアプリケーションの画像もしくはコンテンツの断片が、上記ディスプレイ上にレンダリングされ、上記断片は以前にレンダリングされ、上記断片は上記ディスプレイ上に以前にレンダリングされた上記画像もしくはコンテンツの断片に対して空間的に連続しているスクロールと、
ｇ．ディスプレイ上に現在レンダリングされたファイルの上記コンテンツの断片に続いているファイルの上記コンテンツの断片が、上記続いているセクションを上記ディスプレイ上にレンダリングされるようにナビゲートされるページダウンと、
ｈ．ディスプレイ上に現在レンダリングされたファイルの上記コンテンツのセクションに先行するファイルのコンテンツの断片が、上記続いているセクションを上記先行するセクションを上記ディスプレイ上にレンダリングされるようにナビゲートされるページアップと、
ｉ．上記コンピュータシステム上のファイルのコンテンツ、もしくはあるオンラインコンテンツ、ハイパーリンク、またはメニューの任意のセクションが、上記関連したコンテンツをディスプレイ上にレンダリングされるようにナビゲートされるナビゲートと、
ｊ．ディスプレイ上に現在レンダリングされた上記コンテンツのセクションに先行している、もしくは続くファイルのコンテンツ、もしくはあるオンラインコンテンツ、ウェブページまたはハイパーリンクのセクションが、上記コンテンツを上記ディスプレイ上にレンダリングされるように上記ディスプレイ上にレンダリングされるようにナビゲートされるページバックと、
ｋ．上記コンピュータシステム上のあるファイルもしくはデジタル情報が、オープンされもしくはクローズされ、メモリ内に読み込まれもしくは永久的な記憶媒体へと読み出されるオープン、セーブまたはクローズと、
ｌ．上記コンピュータシステムもしくはディスプレイと関連するファイル、画像、テキストもしくはいくつかの他のデジタル情報が、もう１つのコンピュータシステムもしくはディスプレイ、または上記同一のコンピュータシステムもしくはディスプレイ上のある異なる論理的な場所へと転送されるムーブ（移動させること）、コピーまたはペーストと、
ｍ．ディスプレイ上にレンダリングされた複数のグラフィックオブジェクトが、関連するコンピュータシステムに対して続く動作、入力もしくは命令の受け手となるように選択されるセレクトと、
ｎ．挿入ポイントもしくはカーソルをディスプレイ上の特定の場所へと移動して、上記ディスプレイ上の下にある複数のグラフィックオブジェクトを選択しもしくはアクティブにするクリックと、
ｏ．選択された情報もしくは複数の画像、またはコンピュータシステム上の上記複数の画像と関連するコンテンツを、上記ディスプレイからおよび／または上記コンピュータシステムのメモリから消去するイレイスと、
ｐ．上記コンピュータシステム上のグラフィックアニメーション、ビデオ、サウンドもしくは音楽コンテンツを含むマルチメディアファイルが、あるスピードでプレイされて上記スピードがオプション的に上記入力により制御される再生制御と、
ｑ．上記コンピュータシステムが、コンピュータネットワークによりもう１つのコンピュータシステム、オンラインサーバ、通信ツールもしくはソーシャルネットワーキングサイトに接続されるコネクトと、
ｒ．上記コンピュータシステム上の情報が、上記情報を上記サーバに接続された他の複数のユーザと共有される目的でコンピュータサーバ上に置かれるように共有することと、
ｓ．ユーザによる上記コンピュータシステムの使用、または上記ユーザのある任意のステータスもしくは属性についての情報が、上記情報を上記サーバに接続された他の複数のユーザと共有する目的で、コンピュータサーバと共有されるオンラインステータスと、
ｔ．上記コンピュータシステムが通信装置として役目を果たすように通信することと、
ｕ．広告がディスプレイ上にレンダリングされるように広告することと、
ｖ．ディスプレイ上で選択された飲料もしくは食品の注文が処理され、上記注文に対する支払いとともに供給メーカー、自動販売機、補給ステーション、もしくはディスペンサへと通信されるオーダと、
ｗ．上記コンピュータシステムが、複数のゲーム、複数の販売促進ゲームのチャンス、複数のくじ引きなどをプレイするために使用されるギャンブルおよびゲームと、
ｘ．上記コンピュータシステムが多数のディスプレイにわたって画像を表示する断片化されたディスプレイと、
ｙ．上記コンピュータシステムが、特定のユーザへのアクセスまたは上記コンピュータシステム上の情報の使用へのアクセスを提供するように認証することと、
から構成されるグループから選択されることを特徴とする請求項６記載の方法。
【請求項９】
上記コンピュータシステムは、請求項１記載に係る装置から構成されることを特徴とする請求項６記載の方法。
【請求項１０】
複数の飲料もしくは複数の食品アイテムを電子食品もしくは飲料容器上に配置されたインタラクティブディスプレイから注文するための方法であって、
上記複数の飲料もしくは複数の食品アイテムは、ユーザからの複数の注文の過去の履歴、供給メーカーにより受信された複数の注文、友人たちによるお気に入りの複数の注文、もしくは有名人による上記ユーザの複数のお気に入りのものの履歴により、供給メーカーにより提供されたリストから選択され、上記リストはオプション的に、あるオンラインソーシャルネットワークにより上記ディスプレイに対して利用可能であることを特徴とする方法。
【請求項１１】
上記注文には、複数の材料の特定の複数のレシピもしくは複数の混合を選択することを備えていることを特徴とする請求項１０記載の方法。
【請求項１２】
製品を提供すること、設定価格、もしくは最も近い食品もしくは飲料供給メーカーの場所に関する情報を獲得するための方法であって、
電子食品もしくは飲料容器上に配置されたユーザインターフェースに接続するステップを備えたことを特徴とする方法。
【請求項１３】
オンラインシステムにより飲料もしくは食品の注文の支払い、もしくは予め支払うための方法であって、
電子食品もしくは飲料容器上に配置されたユーザインターフェースにアクセスするステップを備えたことを特徴とする方法。
【請求項１４】
供給メーカーもしくは自動販売機から複数の販売促進材料を顧客のインタラクティブ食品もしくは飲料容器へと配送する方法であって、
ａ．オプション的に、上記容器を、上記供給メーカーもしくは自動販売機の閾値距離範囲にある上記容器を通じて上記供給メーカーもしくは自動販売機により識別するステップと、
ｂ．オプション的に、上記容器を、上記容器上に配置されたユーザインターフェースを通じて上記供給メーカーもしくは自動販売機と接触している上記顧客により識別するステップと、
ｃ．オプション的に、上記容器を、上記供給メーカーもしくは自動販売機を用いて注文を発行する上記顧客により識別し、上記供給メーカーもしくは自動販売機は、機会、上記顧客の複数の注文履歴の特性、もしくは上記顧客の注文の特性に基づき、上記複数の販売促進材料を選択するステップと、
ｄ．無線のもしくは有線のネットワークにより、上記複数の販売促進材料を上記容器へとデジタル的にアップロードするステップと、
ｅ．上記複数の販売促進材料の上記容器上に表示し、もしくはプレイするステップと、
を備えたことを特徴とする方法。
【請求項１５】
上記複数の販売促進材料は、複数の広告、複数の着信音、複数のビデオ、音楽、複数のくじ引き、食品もしくは飲料メニュー、複数のゲームのチャンスもしくはスキル、複数のスローガン、および芸術作品会社から構成されるグループから選択されることを特徴とする請求項１４記載の方法。
【請求項１６】
電子食品もしくは飲料容器を通じて、栄養のもしくはカロリーの値、複数の炭素クレジットもしくは複数の炭素オフセット、または注文されたもしくは消費された複数の飲料もしくは複数の食品アイテムの容量を追跡する方法であって、
ａ．オプション的に、上記容器は、上記容器上に配置された入力装置により上記栄養のもしくはカロリーの値を測定することにより、上記容器を通じて消費された複数の飲料もしくは複数の食品の栄養のもしくはカロリーの値を識別し、
ｂ．オプション的に、上記複数の飲料もしくは複数の食品アイテムの供給メーカーは、上記容器の注文の発行と同時に、上記容器といくつかの有線のもしくは無線の通信により栄養値、カロリー値、炭素クレジットもしくは炭素オフセットについての情報を通信し、
ｃ．上記容器、もしくはいくつかの関連するオンラインデータベースは、複数の飲料もしくは食品アイテム、および上記容器を通じて消費された上記複数の飲料もしくは複数の食品アイテムの容量に関する情報を保持することを特徴とする方法。
【請求項１７】
電子食品もしくは飲料容器内の食品もしくはドリンクのレベルは、上記容器のディスプレイ上にレンダリングされた電子ゲームにおけるインセンティブであることを特徴とする方法。
【請求項１８】
電子トラベル、イベントもしくは入場チケットを購入する方法であって、
電子食品もしくは飲料容器上に配置されたユーザインターフェースを動作させ、上記チケットと関連する複数の権利を成立させると同時に、上記複数の権利へのアクセスが上記容器との電子通信により上記チケットの電子検証後のみ提供されるステップとを備えたことを特徴とする方法。
【請求項１９】
複数の電子食品もしくは飲料容器上に配置された一連の複数のディスプレイにわたって画像もしくは映画を提示する方法であって、
各個々の容器のディスプレイは、上記画像もしくは映画のディスプレイの１つもしくはいくつかのピクセルだけに表示するための役目を果たすことを特徴とする方法。
【請求項２０】
ａ．製品補給ステーションは、上記製品補給ステーション内もしくは上記ステーション上に上記容器を置くと同時に、電力もしくはソフトウェアを上記容器に対して提供し、
ｂ．容器は、上記製品補給ステーション内もしくは上記ステーション上に上記容器を置くと同時に、上記容器上で実行された複数の製品注文を上記製品補給ステーションへ通信し、
ｃ．オプション的に、上記製品補給ステーションは、上記容器をクリーニングし、
ｄ．オプション的に、上記注文は複数の材料のレシピから構成され、上記注文は上記レシピに従ってサイト上複数の材料を混合することにより実行され、
ｅ．製品補給ステーションは、上記容器を上記注文でいっぱいにすることにより上記注文を実行し、
ｆ．上記容器との通信により、および上記容器もしくは製品補給ステーションと関連するある電子支払いシステムにより、上記注文に対する支払いを準備することを特徴とする請求項１記載の装置のための製品補給ステーション。
【発明の詳細な説明】
【技術分野】
【０００１】
本発明は一般的に、複数のフレキシブルディスプレイ装置に関連する入力技術とインタラクション技術に関する。
【０００２】
関連出願の相互参照
この出願は、２００６年３月３０日付けで出願された米国仮出願第６０／７８８，４０５号に対して優先権の利益を主張する２００７年３月３０日付けで出願された米国一部継続出願第１１／７３１，４４７号である。
【０００３】
（各発行された特許の審査手続過程の間の“複数の出願引用文献”を含む）複数の出願および複数の特許のそれぞれにおいて引用された各文献または引用例のみならずこの本文に引用された複数の出願および複数の特許のそれぞれ、並びにこれらの複数の出願および複数の特許のいずれかに対応し、および／または優先権を主張する米国と外国の複数の出願もしくは複数の特許、並びに複数の出願引用文献のそれぞれにおいて引用され、もしくは参照された複数の文献のそれぞれが、ここにより明示的に参照によりここに組み込まれる。より一般的に、複数の文献もしくは引用例がこの本文、特許請求の範囲の前の参照リストにおいて、もしくは本文自身の中のいずれかにおいて引用され、（いくつかの製造業者の仕様書、取扱説明書などを含む）ここに引用された複数の引用例のそれぞれにおいて引用された各文献もしくは各引用例のみならず、これらの複数の文献もしくは複数の引用例（“複数のここに引用された参照文献”）のそれぞれが、ここにより明示的に参照によりここに組み込まれる。参照によりこの本文の中に組み込まれた複数の文献は、発明の実施において利用してもよい。
【背景技術】
【０００４】
近年、薄いフレキシブルディスプレイの開発に向けてかなりの進歩がなされてきた。
【先行技術文献】
【特許文献】
【０００５】
【特許文献１】米国特許第６，６３９，５７８号明細書
【特許文献２】米国特許出願公開第２００６／０，００７，３６８号明細書
【特許文献３】米国特許第６，５６７，０６８号明細書
【特許文献４】米国特許第６，５７３，８８３号明細書
【特許文献５】米国特許第７，４７９，９４９号明細書
【特許文献６】米国特許出願公開第２００６／０，０１０，４００号明細書
【特許文献７】米国特許出願公開第２００６／０，０３６，９４４号明細書
【特許文献８】米国特許第６，８５９，７４５号明細書
【特許文献９】国際公開第第００／５５，７４３号
【特許文献１０】米国特許第７，０９８，８８７号明細書
【特許文献１１】米国特許出願公開第２００４／０，００８，１９１号明細書
【非特許文献】
【０００６】
【非特許文献１】Ｂａｌａｋｒｉｓｈｎａｎ，  Ｒ．，  Ｇ．  Ｆｉｔｚｍａｕｒｉｃｅ，  Ｇ．  Ｋｕｒｔｅｎｂａｃｈ  ａｎｄ  Ｓｉｎｇｈ，  Ｋ．  Ｅｘｐｌｏｒｉｎｇ  Ｉｎｔｅｒａｃｔｉｖｅ  Ｃｕｒｖｅ  ａｎｄ  Ｓｕｒｆａｃｅ  Ｍａｎｉｐｕｌａｔｉｏｎ  Ｕｓｉｎｇ  ａ  Ｂｅｎｄ  ａｎｄ  Ｔｗｉｓｔ  Ｓｅｎｓｉｔｉｖｅ  Ｉｎｐｕｔ  Ｓｔｒｉｐ．  Ｉｎ  Ｐｒｏｃｅｅｄｉｎｇｓ  ｏｆ  ｔｈｅ  １９９９  Ｓｙｍｐｏｓｉｕｍ  ｏｎ  Ｉｎｔｅｒａｃｔｉｖｅ  ３Ｄ  ｇｒａｐｈｉｃｓ，  ＡＣＭ  Ｐｒｅｓｓ，  １９９９，  ｐｐ．１  １１−１１８．
【非特許文献２】Ｆｉｓｈｋｉｎ，  Ｋ．，  Ｇｕｊａｒ，  Ａ．，  Ｈａｒｒｉｓｏｎ，  Ｂ．，  Ｍｏｒａｎ，  Ｔ．  ａｎｄ  Ｗａｎｔ，  Ｒ．  Ｅｍｂｏｄｉｅｄ  Ｕｓｅｒ  Ｉｎｔｅｒｆａｃｅｓ  ｆｏｒ  Ｒｅａｌｌｙ  Ｄｉｒｅｃｔ  Ｍａｎｉｐｕｌａｔｉｏｎ．  Ｉｎ  Ｃｏｍｍｕｎｉｃａｔｉｏｎｓ  ｏｆ  ｔｈｅ  ＡＣＭ，  ｖ．４３  ｎ．９，  ２０００，  ｐｐ．７４−８０．
【非特許文献３】Ｇｕｉｍｂｒｅｔｉｅｒｅ，  Ｆ．  Ｐａｐｅｒ  Ａｕｇｍｅｎｔｅｄ  Ｄｉｇｉｔａｌ  Ｄｏｃｕｍｅｎｔｓ．  Ｉｎ  Ｐｒｏｃｅｅｄｉｎｇｓ  ｏｆ  ＵＩＳＴ  ２００３．  Ｖａｎｃｏｕｖｅｒ：  ＡＣＭ  Ｐｒｅｓｓ，  ２００３  ，  ｐｐ．  ５１  −６０．
【非特許文献４】Ｈｏｌｍａｎ，  Ｄ．，  Ｖｅｒｔｅｇａａｌ，  Ｒ．，  Ｔｒｏｊｅ，  Ｎ．  ＰａｐｅｒＷｉｎｄｏｗｓ（登録商標）：  Ｉｎｔｅｒａｃｔｉｏｎ  Ｔｅｃｈｎｉｑｕｅｓ  ｆｏｒ  Ｄｉｇｉｔａｌ  Ｐａｐｅｒ．  Ｉｎ  Ｐｒｏｃｅｅｄｉｎｇｓ  ｏｆ  ＡＣＭ  ＣＨＩ  ２００５  Ｃｏｎｆｅｒｅｎｃｅ  ｏｎ  Ｈｕｍａｎ  Ｆａｃｔｏｒｓ  ｉｎ  Ｃｏｍｐｕｔｉｎｇ  Ｓｙｓｔｅｍｓ．  Ｐｏｒｔｌａｎｄ，  ＯＲ：  ＡＣＭ  Ｐｒｅｓｓ，  ２００５．
【非特許文献５】Ｉｓｈｉｉ，  Ｈ．  ａｎｄ  Ｕｌｌｍｅｒ，  Ｂ．  Ｔａｎｇｉｂｌｅ  Ｂｉｔｓ：  Ｔｏｗａｒｄｓ  Ｓｅａｍｌｅｓｓ  Ｉｎｔｅｒｆａｃｅｓ  Ｂｅｔｗｅｅｎ  Ｐｅｏｐｌｅ，  Ｂｉｔｓ  ａｎｄ  Ａｔｏｍｓ．  Ｉｎ  Ｐｒｏｃｅｅｄｉｎｇｓ  ｏｆ  ＣＨＩ  １９９７．  Ａｔｌａｎｔａ：  ＡＣＭ，  １９９７，  ｐｐ．  ２３４−２４１．
【非特許文献６】Ｊｏｈｎｓｏｎ，  Ｗ．，  Ｊｅｌｌｉｎｅｋ，  Ｈ．，  Ｋｌｏｔｚ，  Ｌ．，  Ｒａｏ，  Ｒ．  ａｎｄ  Ｃａｒｄ  Ｓ．  Ｂｒｉｄｇｉｎｇ  ｔｈｅ  Ｐａｐｅｒ  ａｎｄ  Ｅｌｅｃｔｒｏｎｉｃ  Ｗｏｒｌｄｓ：  Ｔｈｅ  Ｐａｐｅｒ  Ｕｓｅｒ  Ｉｎｔｅｒｆａｃｅ．  Ｉｎ  Ｐｒｏｃｅｅｄｉｎｇｓ  ｏｆ  ｔｈｅ  ＩＮＴＥＲＣＨＩ  １９９３．  Ａｍｓｔｅｒｄａｍ：  ＡＣＭ  Ｐｒｅｓｓ，  １９９３，  ｐｐ．  ５０７−５１２．
【非特許文献７】Ｊｕ，  Ｗ．  Ｂｏｎａｎｎｉ，  Ｌ．，  Ｆｌｅｔｃｈｅｒ，  Ｒ．，  ｅｔ  ａｌ．  Ｏｒｉｇａｍｉ  Ｄｅｓｋ：  Ｉｎｔｅｇｒａｔｉｎｇ  Ｔｅｃｈｎｏｌｏｇｉｃａｌ  Ｉｎｎｏｖａｔｉｏｎ  ａｎｄ  Ｈｕｍａｎ−ｃｅｎｔｒｉｃ  Ｄｅｓｉｇｎ．  Ｉｎ  Ｐｒｏｃｅｅｄｉｎｇｓ  ｏｆ  ＤＩＳ  ２００２．  Ｌｏｎｄｏｎ：  ＡＣＭ  Ｐｒｅｓｓ，２００２，  ｐｐ．  ３９９−４０５．
【非特許文献８】Ｋｌｅｍｍｅｒ，  Ｓ．，  Ｎｅｗｍａｎ，  Ｍ．，  Ｆａｒｒｅｌｌ，  Ｒ．，  Ｂｉｌｅｚｉｋｊｉａｎ，  Ｍ．  ａｎｄ  Ｌａｎｄａｙ，  Ｊ．  Ｔｈｅ  Ｄｅｓｉｇｎｅｒｓ’  Ｏｕｔｐｏｓｔ：  Ａ  Ｔａｎｇｉｂｌｅ  Ｉｎｔｅｒｆａｃｅ  ｆｏｒ  Ｃｏｌｌａｂｏｒａｔｉｖｅ  Ｗｅｂ  Ｓｉｔｅ  Ｄｅｓｉｇｎ．  Ｉｎ  Ｐｒｏｃ．  ｏｆ  ＵＩＳＴ  ２００１．  Ｏｒｌａｎｄｏ：  ＡＣＭ  Ｐｒｅｓｓ，  ２００１，  ｐｐ．  １−１０．
【非特許文献９】Ｌａｎｇｅ，  Ｂ．，  Ｊｏｎｅｓ，  Ｍ．，  ａｎｄ  Ｍｅｙｅｒｓ，  Ｊ．  Ｉｎｓｉｇｈｔ  Ｌａｂ：  Ａｎ  Ｉｍｍｅｒｓｉｖｅ  Ｔｅａｍ  Ｅｎｖｉｒｏｎｍｅｎｔ  Ｌｉｎｋｉｎｇ  Ｐａｐｅｒ  Ｄｉｓｐｌａｙｓ  ａｎｄ  Ｄａｔａ．  Ｉｎ  Ｐｒｏｃｅｅｄｉｎｇｓ  ｏｆ  ＣＨＩ  １９９８．  Ｌｏｓ  Ａｎｇｅｌｅｓ：  ＡＣＭ  Ｐｒｅｓｓ，  １９９８，  ｐｐ．  ５５０−５５７．
【非特許文献１０】Ｌｅｖｉｎｅ，  Ｓ．  Ｒ．  ａｎｄ  Ｓ．  Ｆ．  Ｅｈｒｌｉｃｈ．  Ｔｈｅ  Ｆｒｅｅｓｔｙｌｅ  Ｓｙｓｔｅｍ：  Ａ  Ｄｅｓｉｇｎ  Ｐｅｒｓｐｅｃｔｉｖｅ．  Ｉｎ  Ｈｕｍａｎ−Ｍａｃｈｉｎｅ  Ｉｎｔｅｒａｃｔｉｖｅ  Ｓｙｓｔｅｍｓ，  Ａ．  Ｋｌｉｎｇｅｒ，  Ｅｄｉｔｏｒ，  １９９１，  ｐｐ．  ３−２１．
【非特許文献１１】Ｍａｃｋａｙ，  Ｗ．Ｅ．  ＆  Ｆａｙａｒｄ，  Ａ−Ｌ．  Ｄｅｓｉｇｎｉｎｇ  Ｉｎｔｅｒａｃｔｉｖｅ  Ｐａｐｅｒ：  Ｌｅｓｓｏｎｓ  ｆｒｏｍ  Ｔｈｒｅｅ  Ａｕｇｍｅｎｔｅｄ  Ｒｅａｌｉｔｙ  Ｐｒｏｊｅｃｔｓ．  Ｉｎ  Ｐｒｏｃｅｅｄｉｎｇｓ  ｏｆ  ＩＷＡＲ  ’９８，  Ｉｎｔｅｒｎａｔｉｏｎａｌ  Ｗｏｒｋｓｈｏｐ  ｏｎ  Ａｕｇｍｅｎｔｅｄ  Ｒｅａｌｉｔｙ．  Ｎａｔｉｃｋ，  ＭＡ：  Ａ  Ｋ  Ｐｅｔｅｒｓ，  Ｌｔｄ．，  １９９８．
【非特許文献１２】Ｍｏｒａｎ，  Ｔ．，  Ｓａｕｎｄ，  Ｅ．，  Ｖａｎ  Ｍｅｌｌｅ，  Ｗ．，  Ｇｕｊａｒ，  Ａ．，  Ｆｉｓｈｋｉｎ，  Ｋ．  ａｎｄ  Ｈａｒｒｉｓｏｎ，  Ｂ．  Ｄｅｓｉｇｎ  ａｎｄ  Ｔｅｃｈｎｏｌｏｇｙ  ｆｏｒ  Ｃｏｌｌａｂｏｒａｇｅ：  Ｃｏｌｌａｂｏｒａｔｉｖｅ  Ｃｏｌｌａｇｅｓ  ｏｆ  Ｉｎｆｏｒｍａｔｉｏｎ  ｏｎ  Ｐｈｙｓｉｃａｌ  Ｗａｌｌｓ．  Ｉｎ  Ｐｒｏｃｅｅｄｉｎｇｓ  ｏｆ  ＵＩＳＴ  １９９９．  Ａｓｈｅｖｉｌｌｅ，  Ｎｏｒｔｈ  Ｃａｒｏｌｉｎａ：  ＡＣＭ  Ｐｒｅｓｓ，  １９９９，  ｐｐ．  １９７−２０６．
【非特許文献１３】Ｏ’Ｈａｒａ，  Ｋ．  ａｎｄ  Ｓｅｌｌｅｎ，  Ａ．  Ａ  Ｃｏｍｐａｒｉｓｏｎ  ｏｆ  Ｒｅａｄｉｎｇ  Ｐａｐｅｒ  ａｎｄ  Ｏｎ−ｌｉｎｅ  Ｄｏｃｕｍｅｎｔｓ．  Ｉｎ  Ｐｒｏｃｅｅｄｉｎｇｓ  ｏｆ  ＣＨＩ  １９９７．  Ａｔｌａｎｔａ：  ＡＣＭ  Ｐｒｅｓｓ，  １９９７，  ｐｐ．  ３３５−３４２．
【非特許文献１４】Ｐｈｉｌｉｐｓ  ＯＬＥＤ  Ｔｅｃｈｎｏｌｏｇｙ，  ｈｔｔｐ：／／ｗｗｗ．ｂｕｓｉｎｅｓｓ−ｓｉｔｅｓ．ｐｈｉｌｉｐｓ．ｃｏｍ／ｍｄｓ／ｓｅｃｔｉｏｎ−１１３１／
【非特許文献１５】Ｐｉｐｅｒ，  Ｂ．，  Ｒａｔｔｉ，  Ｃ．  ａｎｄ  Ｈ．  Ｉｓｈｉｉ．  Ｉｌｌｕｍｉｎａｔｉｎｇ  Ｃｌａｙ：  Ａ  ３−Ｄ  Ｔａｎｇｉｂｌｅ  Ｉｎｔｅｒｆａｃｅ  ｆｏｒ  Ｌａｎｄｓｃａｐｅ  Ａｎａｌｙｓｉｓ  Ｉｎ  Ｐｒｏｃｅｅｄｉｎｇｓ  ｏｆ  ＣＨＩ  ２００２．  Ｍｉｎｎｅａｐｏｌｉｓ：  ＡＣＭ  Ｐｒｅｓｓ，  ２００２．
【非特許文献１６】Ｒｅｋｉｍｏｔｏ，  Ｊ．  Ｐｉｃｋ−ａｎｄ−Ｄｒｏｐ：  Ａ  Ｄｉｒｅｃｔ  Ｍａｎｉｐｕｌａｔｉｏｎ  Ｔｅｃｈｎｉｑｕｅ  ｆｏｒ  Ｍｕｌｔｉｐｌｅ  Ｃｏｍｐｕｔｅｒ  Ｅｎｖｉｒｏｎｍｅｎｔｓ．  Ｉｎ  Ｐｒｏｃｅｅｄｉｎｇｓ  ｏｆ  ＵＩＳＴ  １９９７．  Ｂａｎｆｆ：  ＡＣＭ  Ｐｒｅｓｓ，  １９９７，  ｐｐ．  ３１−  ３９．
【非特許文献１７】Ｒｅｋｉｍｏｔｏ，  Ｊ．  Ｕｌｌｍｅｒ，  Ｂ．  ａｎｄ  Ｈ．  Ｏｂａ，  ＤａｔａＴｉｌｅｓ：  Ａ  Ｍｏｄｕｌａｒ  Ｐｌａｔｆｏｒｍ  ｆｏｒ  Ｍｉｘｅｄ  Ｐｈｙｓｉｃａｌ  ａｎｄ  Ｇｒａｐｈｉｃａｌ  Ｉｎｔｅｒａｃｔｉｏｎｓ．  Ｉｎ  Ｐｒｏｃｅｅｄｉｎｇｓ  ｏｆ  ＣＨＩ  ２００１．  Ｓｅａｔｔｌｅ：  ＡＣＭ  Ｐｒｅｓｓ，  ２００１．
【非特許文献１８】Ｒｅｋｉｍｏｔｏ，  Ｊ．  ＳｍａｒｔＳｋｉｎ：  Ａｎ  Ｉｎｆｒａｓｔｒｕｃｔｕｒｅ  ｆｏｒ  Ｆｒｅｅｈａｎｄ  Ｍａｎｉｐｕｌａｔｉｏｎ  ｏｎ  Ｉｎｔｅｒａｃｔｉｖｅ  Ｓｕｒｆａｃｅｓ．  Ｉｎ  Ｐｒｏｃｅｅｄｉｎｇｓ  ｏｆ  ＣＨＩ  ２００２．  Ｍｉｎｎｅａｐｏｌｉｓ：  ＡＣＭ  Ｐｒｅｓｓ，  ２００２，  ｐｐ．  １  １３−１２０．
【非特許文献１９】Ｓｃｈｉｌｉｔ，  Ｂ．，  Ｇｏｌｏｖｃｈｉｎｓｋｙ，  Ｇ．，  ａｎｄ  Ｐｒｉｃｅ，  Ｍ．  Ｂｅｙｏｎｄ  Ｐａｐｅｒ：  Ｓｕｐｐｏｒｔｉｎｇ  Ａｃｔｉｖｅ  Ｒｅａｄｉｎｇ  ｗｉｔｈ  Ｆｒｅｅ  Ｆｏｒｍ  Ｄｉｇｉｔａｌ  Ｉｎｋ  Ａｎｎｏｔａｔｉｏｎｓ．  Ｉｎ  Ｐｒｏｃｅｅｄｉｎｇｓ  ｏｆ  ＣＨＩ  １９９８．  Ｌｏｓ  Ａｎｇｅｌｅｓ：  ＡＣＭ  Ｐｒｅｓｓ，  １９９８，  ｐｐ．  ２４９−２５６．
【非特許文献２０】Ｓｃｈｗｅｓｉｇ，  Ｃ，  Ｐｏｕｐｙｒｅｖ，  Ｉ．，  ａｎｄ  Ｍｏｒｉ，  Ｅ．  Ｇｕｍｍｉ：  Ａ  Ｂｅｎｄａｂｌｅ  Ｃｏｍｐｕｔｅｒ．  Ｉｎ  Ｐｒｏｃｅｅｄｉｎｇｓ  ｏｆ  ＣＨＩ  ２００４．  Ｖｉｅｎｎａ：  ＡＣＭ  Ｐｒｅｓｓ，  ２００３，  ｐｐ．  ２６３−２７０．
【非特許文献２１】Ｓｅｌｌｅｎ，  Ａ．，  ａｎｄ  Ｈａｒｐｅｒ，  Ｒ．  Ｔｈｅ  Ｍｙｔｈ  ｏｆ  ｔｈｅ  Ｐａｐｅｒｌｅｓｓ  Ｏｆｆｉｃｅ，  ＭＩＴ  Ｐｒｅｓｓ，  Ｃａｍｂｒｉｄｇｅ，  ＭＡ，  ２００３．
【非特許文献２２】Ｓｕｎ  Ｓｔａｒｆｉｒｅ：  Ａ  Ｖｉｄｅｏ  ｏｆ  Ｆｕｔｕｒｅ  Ｃｏｍｐｕｔｉｎｇ．  ｈｔｔｐ：／／  ｗｗｗ．  ａｓｋｔｏｇ．  ｃｏｍ／ｓｔａｒｆｉｒｅ／ｓｔａｒｆｉｒｅｓｃｒｉｐｔ．  ｈｔｍｌ．
【非特許文献２３】Ｖｉｃｏｎ．  ｈｔｔｐ：／／ｗｗｗ．ｖｉｃｏｎ．ｃｏｍ
【非特許文献２４】Ｗｅｉｓｅｒ，  Ｍ．  Ｔｈｅ  Ｃｏｍｐｕｔｅｒ  ｆｏｒ  ｔｈｅ  ２１ｓｔ  Ｃｅｎｔｕｒｙ．  Ｓｃｉｅｎｔｉｆｉｃ  Ａｍｅｒｉｃａｎ，  １９９１，  ２６５  （３），  ｐｐ．  ９４−１０４．
【非特許文献２５】Ｗｅｌｌｎｅｒ，  Ｐ．  Ｔｈｅ  ＤｉｇｉｔａｌＤｅｓｋ  Ｃａｌｃｕｌａｔｏｒ：  Ｔａｎｇｉｂｌｅ  Ｍａｎｉｐｕｌａｔｉｏｎ  ｏｎ  ａ  Ｄｅｓｋ  Ｔｏｐ  Ｄｉｓｐｌａｙ．  Ｉｎ  Ｐｒｏｃｅｅｄｉｎｇｓ  ｏｆ  ＵＩＳＴ  １９９１．  Ｈｉｌｔｏｎ  Ｈｅａｄ：  ＡＣＭ  Ｐｒｅｓｓ，  １９９１，  ｐｐ．  ２７−３３．
【発明の概要】
【発明が解決しようとする課題】
【０００７】
特許文献１は、従来のスクリーン印刷における複数のカラープロセスに類似した複数の印刷動作を含む電子的にアドレス可能なディスプレイを作り出すためのプロセスに言及する。同様に、特許文献２は、ある軸のまわりに回転可能であるフレキシブルディスプレイを備えたディスプレイ装置アセンブリに言及する。フルカラーで高分解能の厚さ０．２ｍｍを有する複数のフレキシブルＯＬＥＤディスプレイを含むこれらの複数の技術に基づいた一連の複数のフレキシブル電子装置が、マーケット（非特許文献１４）に紹介されている。そのような複数の取り組みの目標は、優れたハンドリング、コントラストおよび柔軟性を有する実際のペーパーと同様の柔軟性を有する複数のディスプレイを開発することにある。
【０００８】
この発明の一部として、私たちは、コンピュータにより生成された複数の画像を、実際のペーパー上へ投影する投影装置を用いる複数のフレキシブルディスプレイのための複数のインタラクション技術を追跡するための装置を発明し、その中で形状がその後でコンピュータビジョン装置を用いて測定される。次に、ペーパーディスプレイの形状の変形が、上記ディスプレイ上に表示された上記複数の画像および／または関連した複数のコンピュータ機能をリアルタイムで操作するために使用される。留意すべきことは、この発明に関連する複数のディスプレイのカテゴリは、例えば特許文献３または特許文献４において引用された、それらのそれぞれの複数の軸のまわりに回転はされるが変形はされない複数の硬質面ＬＣＤディスプレイのタイプとは非常に異なる、ということである。
【０００９】
さらに、この発明の一部として、私たちは、その表面に沿って湾曲された関連したフレキシブルディスプレイを用いてインタラクティブ（双方向性の）食品または飲料容器のための装置を発明した。上記ディスプレイは、ディスプレイユニットおよび関連した複数のソフトウェアプログラムを駆動させるオンボードコンピュータにより処理されるマルチタッチ入力を検知することができる。このユニット上の複数のインタラクションは、例えばアップルアイフォーン（Ａｐｐｌｅ  ｉＰｈｏｎｅ）、特許文献５などの複数の装置をコンピューティング（コンピュータ操作）する他のマルチタッチ硬質ディスプレイ表面とは、それらが円筒型の表面上で操作され、それ故に２次元座標系よりもむしろ３次元で操作されるという点で異なり、特許文献６および特許文献７もまた、参照しなさい。
【００１０】
パッケージを識別するために無線回路の使用を教示する特許文献８は、それが関連したディスプレイユニットを持たないでそのインタラクティビティ（双方向性）を制限するので、当該装置とは異なる。
【００１１】
特許文献９は、パッケージング上に配置されたインタラクティブ（双方向性の）エレクトロルミネッセンスディスプレイを教示する。この発明は、タッチスイッチを特徴とする一方で、それはタッチセンサ方式のディスプレイ表面について述べていない。上記ディスプレイは、パッケージ上の複数のコンテンツまたはグラフィックスの照明を提供することに制限され、コンピュータディスプレイとしての役目を果たさない。
【００１２】
特許文献１０は、商業用のホット飲料ホルダー上に搭載されたフレキシブルディスプレイを用いた熱電ユニットを教示する。上記発明は、容器内の飲料の熱さに基づいてディスプレイユニット上に複数の視覚の効果を表示することに制限される。
【００１３】
特許文献１１は、プラスティック基板上に搭載されたフレキシブルディスプレイ、および上記基板上のコンピューティング装置への入力を提供するための手段として曲げの使用を教示する。この発明は、ディスプレイの複数の硬質アプリケーションでなく、入力の目的のために上記ディスプレイの複数のフレキシブル特性の使用について説明する。例えばシェープテープ（非特許文献１）およびグミ（Ｇｕｍｍｉ）（非特許文献２０）などの曲げが可能な複数のインターフェースを含む従来技術が、複数のコンピュータ処理のための入力としての使用のために複数のコンピューティングオブジェクトの変形を組み込むことの価値を示している。しかしながら、この特許において、私たちは、ディスプレイ自身の表面構造の複数の変形に頼る複数のフレキシブルディスプレイとインタラクト（相互作用）する複数の方法を提案する。これは、視覚の情報のブラウジングのために装置の物理的な変形を使用するクレジットカードサイズのコンピュータを提案した非特許文献１７により実行される動作を拡張する一方で、上記装置はフレキシブル材料を組み込まず、上記ディスプレイの変形を用いなかった、ということは留意すべきことである。代わりに、それは、硬質ＬＣＤスタイルのディスプレイ本体上に搭載された複数のタッチセンサの使用に頼る。
【００１４】
３次元のオブジェクト上で複数のコンピュータ装置をシミュレーションするための投影の使用がまた、従来技術において引用されている。スマートスキン（ＳｍａｒｔＳｋｉｎ）（非特許文献１８）は、人間の指の複数のジェスチャに敏感であるインタラクティブ表面である。スマートスキンを用いて、ユーザは手動のインタラクションを用いてデジタル背面投影デスクの複数のコンテンツを操作することができる。同様に、暦本のピックアンドドロップ（Ｐｉｃｋ  ａｎｄ  Ｄｒｏｐ）（非特許文献１６）は、複数のユーザが、物理的なオブジェクト上への投影により異なる複数のコンピュータの間でデジタルデータをドラッグしてドロップさせるシステムである。投影されたデジタル情報とのインタラクションである石井のタンジブルユーザインターフェース（ＴＵＩ）パラダイム（非特許文献５）は、実世界の複数のオブジェクトの物理的な操作により提供される。そのような複数のシステムのすべてにおいて、入力装置は実際のディスプレイそれ自身ではなく、もしくは上記ディスプレイは実際の入力装置上にない。複数のデータタイル（Ｄａｔａ  Ｔｉｌｅｓ）（非特許文献１７）を用いて、暦本らは、操作するための複数のタッチセンサ方式の制御特性を用いてデータを他の複数のプラスティック表面上へと投影する複数の仕掛けのように複数のプラスティック表面の使用を提案した。ここで、複数のディスプレイ表面はふたたび、２次元のかつ硬質の本体である。
【００１５】
デジタルデスク（ＤｉｇｉｔａｌＤｅｓｋ）（非特許文献２４）において、物理的なデスクは、電子入力とディスプレイを用いて拡大される。コンピュータ制御されたカメラとプロジェクタはデスクの上方に位置付け（ポジショニング）される。画像処理は、ユーザがどのページを指差しているかを決定するために使用される。オブジェクト文字認識は、実際のペーパーとデスク上に投影された複数の電子ドキュメントとの間にコンテンツを転送する。ウェルナ（Ｗｅｌｌｅｒ）は、印刷された番号を取ってそれを電子計算機の中に転送することによりデジタルと物理的世界との間の境界をあいまいにさせる計算機を用いた彼のシステムの使用を示している。インタラクティブペーパー（非特許文献１１）は、３つのプロトタイプのためのフレームワークを提供する。アリエル（Ａｒｉｅｌ）（非特許文献１１）は、平面表面上にレイアウトされた実際のペーパー上にデジタル図面を投影することにより工学図面の使用を電子情報とマージする。ビデオモザイク（Ｖｉｄｅｏ  Ｍｏｓａｉｃ）（非特許文献１１）において、ペーパーストーリーボードは、複数のビデオセグメント（断片）を編集するために使用される。複数のユーザが、大きいテーブルトップ全体を覆って拡大されたペーパーを広げることにより複数のビデオクリップに注釈を付けて編成する。カメレオン（Ｃａｍｅｌｅｏｎ）（非特許文献１１）は、複数の航空交通管制官が複数のペーパー滑走路の使用をシミュレーションし、それらをデジタルワールドとマージする。複数のユーザは、タブレットおよびタッチセンサ方式のスクリーンとインタラクトして複数の滑走路からのデータに注釈を付けて獲得する。複数のペーパー拡大されたデジタルドキュメント（非特許文献３）は、コンピュータスクリーン上またはペーパー上で変更された複数のデジタルドキュメントである。あるドキュメントの複数のデジタルコピーは、中心のデータベースの中に保持され、必要に応じてＩＲの透明インクを用いてペーパーに印刷される。これは、特別なペンを用いて複数のドキュメントに対する注釈を追跡するために使用される。インサイトラボ（非特許文献９）は、複数の設計要求ドキュメントのコラボレーション（協力）と創造をシームレスにサポートする没入型仮想環境である。複数のドキュメントおよび複数のホワイトボードにより、複数のグループメンバーがスケッチし、注釈を付け、作業を共有することが可能となる。上記システムは、ペーパーとホワイトボードの複数の印字（プリントアウト）とデジタル情報との間のリンクを保持するために複数のバーコードスキャナを使用する。
【００１６】
エクスリブリス（Ｘｌｉｂｒｉｓ）（非特許文献１９）は、読出し中にペーパーのアフォーダンスを含ませるためにタブレットディスプレイとペーパーのようなインターフェースを使用する。複数のユーザは、スキャンされたあるページの画像を読み出してそれにデジタルインクを用いて注釈を付けることができる。複数の注釈が、情報を編成するために捕捉されて使用される。スクローリングは、上記システムから取り除かれている。すなわち、複数のページは、タブレット上の圧力センサを用いてめくられる。複数のユーザはまた、複数のページを選択するためにサムネイルオーバービューを調べることができる。複数のページは、複数のドキュメントにわたって同一の複数の注釈を探すことによりナビゲートされる。フィシュキンら（Ｆｉｓｈｋｉｎ  ｅｔ  ａｌ．）（非特許文献２）は、複数のユーザが、ページめくり、カードフリッピング、および複数のドキュメントとインタラクトするためのペン注釈のような物理的な複数のジェスチャを使用することを可能とさせる複数のユーザインターフェースを具体化した。上記システムは、これらの複数のジェスチャを認識するために物理的な複数のセンサを使用する。私たちは私たちのレビューを制限する空間制限のために、すなわち、ペーパーを通じてデジタルと物理的な世界をリンクする他の複数のシステムが存在する。複数の実施例は、フリースタイル（Ｆｒｅｅｓｔｙｌｅ）（非特許文献１０）、デザイナーズアウトポスト（Ｄｅｓｉｎｅｒｓ’  Ｏｕｔｐｏｓｔ）（非特許文献８）、カラボレージ（Ｃｏｌｌａｂｏｒａｇｅ）（非特許文献１２）、およびザクス（Ｘａｘ）（非特許文献６）を含む。この領域における前の作業に共通する１つの特徴は、フラット表面に対する物理的なペーパーの使用の制限である。多くは、硬質２Ｄディスプレイ表面上だけに投影するか、もしくは硬質２Ｄディスプレイ表面だけに基づいた座標系においてインタラクションを検知する。私たちのシステムにおいては、それに反して、私たちは出来る限り多くの複数のフレキシブルディスプレイの３次元アフォーダンスを使用する。
【００１７】
照明のデジタル粘土（イリュミネーティングデジタルクレイ）（非特許文献１５）では、パイパー（Ｐｉｐｅｒ）らが、粘土の塊の変形を決定するためにレーザスキャナの使用を提案した。この変形が、投影装置を通じて粘土の塊上に投影された複数の画像を変更するために順番に使用された。この特許において提示された複数の技術は、多くの点で異なっている。まず第一に、我々のディスプレイユニットは完全にフレキシブルであり、同一のタイプの他の複数のディスプレイと調和して作業しかつ３次元空間内を自由に移動するために複製される。それらは、任意の軸または副軸のまわりに１８０度に折り曲げられ、そのようにして両面のある複数のフレキシブルディスプレイの機能性を完全に実行することができる。第二に、ポイントクラウドのようなオブジェクトの全体の形状を決定するよりむしろ、私たちの複数の入力技術は、ディスプレイ上の特定の複数のマーカポイントの３Ｄ場所を決定することに頼る。続いて、私たちは、これらの複数の場所と一致する複数の制御点を用いてベジェ曲線で近似することによりディスプレイの形状を決定する。第三に、パイパー（Ｐｉｐｅｒ）（非特許文献１５）とは異なり、私たちは、３Ｄ操作およびディスプレイユニットのフォールディングに基づいた特定の複数のインタラクション技術を提案する。
【００１８】
標準のデスクトップコンピューティングにおいて使用される複数のウェインドウディスプレイユニットの全体を覆う普通のペーパーの複数の利点は、多種多様（ｍａｎｉｆｏｌｄ）である（非特許文献２１）。ミスオブザペーパーレスオフィス（Ｍｙｔｈ  ｏｆ  ｔｈｅ  Ｐａｐｅｒｌｅｓｓ  Ｏｆｆｉｃｅ）（非特許文献２１）において、セレン（Ｓｅｌｌｅｎ）は、例えば、１）フレキシブルナビゲーションのためのサポート、２）クロスドキュメントの使用、３）読出中に注釈を付けること、および４）読出しと書込みをインターウィーブすること（合わせ込むこと）などの複数のデジタル装置の設計における複数のペーパードキュメントのアフォーダンスを組み込むための複数の設計原理のセットを提案した。
【００１９】
ペーパー上に提示された複数のドキュメントは、現在の複数のディスプレイを用いるよりも非常に容易に複数の作業コンテキストの内外に移動される。複数のＧＵＩウィンドウまたは複数の硬質ＬＣＤディスプレイとは異なり、ペーパーが折り曲げられ、回転され、多くの自由度に従って積み重ねられる（非特許文献７）。それは、極めて簡単なジェスチャの複数のインタラクション技術を用いて注釈が付けられ、ナビゲートされ、共有される。ペーパーは、複数のデスクトップディスプレイを用いて現在可能であるよりもより豊富な複数の入力技術のセットを用いて、情報が表示されて格納されるという方法においてよりフレキシビリティ（柔軟性）を可能とする。反対に、複数のディスプレイシステムは、例えばドキュメントの容易なディストリビューション（配布）を獲得すること、クエリーすること、更新することなどの物理的なペーパーにおいて利用不可能な複数の特性をサポートする。コンピューティングのデジタルの世界と複数のフレキシブルディスプレイの物理的な世界と融合することにより、私たちは両方の技術の価値を増加させる。
【課題を解決するための手段】
【００２０】
本発明は、複数のディスプレイ表面を用いてユーザの手動のまたはジェスチャの複数のインタラクションを通じて決定された上記複数のディスプレイ表面の形状、場所および方位の複数の特性を検出するための複数の方法および装置に基づくコンピュータシステムへの入力を獲得するための複数のインタラクション技術セットに関する。そのような入力は、上記複数の表面またはある他のディスプレイまたはコンピューティングシステム上に表示されたグラフィックコンテンツおよび機能性を変更するために使用されてもよい。
【００２１】
本発明はまた、湾曲されたインタラクティブ電子ディスプレイ表面を有する食品もしくは飲料容器、および上記ディスプレイ上に配置された湾曲されたタッチスクリーンを用いてユーザの複数の指と複数のジェスチャによるインタラクションを通じて、上記容器またはある湾曲されたディスプレイと関連するコンピュータシステムへの入力を獲得するための複数の方法に関する。そのような入力は、上記ディスプレイ上にレンダリングされたグラフィックコンテンツおよび機能性を変更するために使用されてもよい。本発明はまた、電子の食品もしくは飲料容器、および補給ステーションの使用に関連した多数のコンテキストアウェアアプリケーションに関連する。
【００２２】
本発明のある態様は、上記ディスプレイを用いてユーザにより手動もしくはジェスチャのインタラクションを通じて決定された３次元かつ６つの自由度に従った上記ディスプレイの形状、場所および方位を検出するための複数の方法に基づいた複数のフレキシブルディスプレイに表示されたグラフィックコンテンツおよび機能性を操作するための複数のインタラクション技術のセットである。
【００２３】
本発明のもう１つの態様は、フレキシブルディスプレイをシミュレーションし、もしくは別の方法でフレキシブルディスプレイを実行するために使用される捕捉かつ投影システムである。コンピュータグラフィックスを物理的な複数のフレキシブル材料上へと投影することにより、複数の画像と任意の形状もしくはフォーム（形）の複数の３Ｄ表面との間のシームレスな統合を可能とし、１つはリアルタイムで３Ｄスキューを測定して補正する。
【００２４】
本発明のもう１つの態様は、上記ディスプレイと関連するコンピュータシステムへの入力として上記形状を用いることの目的のために複数のフレキシブルディスプレイ表面の変形、方位、および／または場所の測定である。本発明のある実施態様において、ビーコンモーション捕捉システム（非特許文献２３）もしくは同等のコンピュータビジョンシステムが、フレキシブルディスプレイユニット表面に添えられたもしくはフレキシブルディスプレイユニット表面の範囲内に組み込まれた複数のレトロな反射マーカの３次元空間における場所を測定するために使用される。もう１つの実施態様において、移動が、上記複数の反射マーカの代わりにフレキシブルディスプレイの中に組み込まれた無線加速度計により追跡され、もしくは複数の変形がディスプレイ表面に組み込まれたいくつかの光ファイバにより追跡される。
【００２５】
本発明のある態様は、上記複数のインタラクション技術のペーパーに似ている複数のフレキシブルディスプレイへの応用である。もう１つの実施態様において、複数のインタラクション技術が、ポリマーまたは有機発光ダイオードに基づいた電子のフレキシブルディスプレイ技術の任意の形成に適用される。
【００２６】
本発明のもう１つの実施態様は、人体の上に着せても着せなくてもどちらでもよい複数の布地（テキストタイル）、複数の３次元オブジェクト、複数の液体などに限定されないがこれらを含むペーパー以外の複数の材料のようにまねて、もしくは別の方法で振る舞う複数のフレキシブルディスプレイのための上記複数のインタラクション技術のアプリケーションである。
【００２７】
もう１つの実施態様において、複数のインタラクション技術は、生きているもしくは死んでいる複数の人体の皮膚上への投影に適用し、その形状はコンピュータビジョンもしくは組み込まれた複数の加速度計装置を介して検知される。
【００２８】
本発明のもう１つの態様は、湾曲されたディスプレイおよびそのディスプレイ上の湾曲されたマルチタッチ入力装置、並びに上記ディスプレイ上にレンダリングされたソフトウェア機能性を駆動させる内部の複数のセンサおよびコンピューティング装置を有するインタラクティブ食品もしくは飲料容器のための装置である。
【００２９】
本発明のある態様は、ユーザによる上記ディスプレイとの手動のまたはジェスチャのインタラクションを検出するための複数の方法に基づいて、湾曲された複数のディスプレイ上に表示されたグラフィックコンテンツおよび機能性を操作するための複数のインタラクション技術のセットである。
【００３０】
本発明のもう１つの態様は、複数の注文方法、複数の販売促進および広告方法、複数の子供たちのゲーム方法などに限定されないがこれらを含むインタラクティブ食品もしくは飲料容器を使用する方法である。
【００３１】
ある実施態様において、本発明は、電子飲料容器であって、カスタマイズ化された蓋もしくはトップ、容器／ディスプレイ構成要素、ハードウェアコンピュータ構成要素、並びに電源およびコネクティビティ（接続性）を備えているオプションの基本構成要素に限定されないがこれらから構成される複数の構成要素のモジュールのシステムに関する。もう１つの実施態様において、本発明は、上記インタラクティブ食品もしくは飲料容器を補給するための装置および処理に関する。
【００３２】
他の方法で定義されない限り、ここで使用されるすべての技術的かつ科学的用語は、この発明に関連する当業者により共通に理解されるのと同一の意味を有する。ここで説明されたものと同一のもしくは同等の複数の方法および複数の材料は本発明の実施において使用されるのだけれど、適切な複数の方法および複数の材料が以下に説明される。すべての公開物、複数の特許出願、複数の特許、およびここで述べられた他の複数の引用例がそれらの全体として参照により明示的に組み込まれる。不一致の場合は、複数の定義を含む本明細書がコントロール（制御）するであろう。さらに、ここで説明されている複数の材料、複数の方法、および複数の実施例は、例示的に説明されているだけであって限定することは意図されていない。
【００３３】
本発明の他の複数の特徴および複数の利点は、以下の詳細な説明および特許請求の範囲から明らかでありかつ以下の詳細な説明および特許請求の範囲により包含されるであろう。
【００３４】
説明された特定の複数の実施態様に発明を限定することを意図していないが、実施例の目的で与えられた以下の詳細な説明が、参照によりここに組み込まれる添付の図面とともに理解される。
【図面の簡単な説明】
【００３５】
【図１】フレキシブルディスプレイ表面（１）を用いたホールドジェスチャを図示する。留意すべきことは、複数のフレキシブルディスプレイ表面および図１から図１０までの図には、明瞭の理由で図の中には含まれていなかった図１１もしくは図１２に従って、ある（隠された）１つもしくはそれ以上のマーカを含んでもよい、ということである。
【図２】フレキシブルディスプレイ表面（１）を用いたコロケイトジェスチャを図示する。
【図３】フレキシブルディスプレイ表面（１）を用いたコレイトジェスチャを図示する。
【図４】フレキシブルディスプレイ表面（１）を用いたフリップジェスチャ、フォールドジェスチャおよびハーフフォールドジェスチャを図示する。
【図５】複数のマーカ（３）を有するフレキシブルディスプレイ表面（１）を用いたロールジェスチャを図示する。
【図６】フレキシブルディスプレイ表面（１）と折れ線（２）を用いたベンドジェスチャを図示する。
【図７】フレキシブルディスプレイ表面（１）を用いたラブジェスチャを図示する。
【図８】フレキシブルディスプレイ表面（１）を用いたステイプルジェスチャを図示する。
【図９】フレキシブルディスプレイ表面（１）を用いたポインティングジェスチャを図示する。
【図１０】フレキシブルディスプレイ表面（１）を用いた複数の手によるポインティングジェスチャを図示する。
【図１１】複数のマーカ（３）を有するフレキシブルディスプレイ表面（１）を図示する。
【図１２】織物もしくは類似の複数の材料から作られた複数のマーカ（３）を有するフレキシブルディスプレイ表面（１）のもう１つの実施形態を図示する。
【図１３】作業空間の上方に搭載された赤外線光を放出する複数のコンピュータビジョンカメラ（４）によりフレキシブルディスプレイ表面（１）を追跡するためのシステム装置をユーザ（７）とともに図示する。ここで、フレキシブルディスプレイ表面（１）に添えられた複数のマーカ（３）は、複数のコンピュータビジョンカメラ（４）により放出された赤外線光を反射する。オプション的に、デジタル投影システム（５）は、複数の質感を用いてレンダリングされたモデル化された複数のフレキシブルディスプレイ表面の複数の画像を上記複数のフレキシブルディスプレイ表面上へと背面投影する。
【図１４】カスタマイズ化された蓋１０１を有する湾曲されたディスプレイ１０３上のマルチタッチのユーザインターフェースを有するインタラクティブ食品もしくは飲料容器を図示する。容器を保持している利き手でない手１００とそのタッチスクリーンとインタラクトする利き手１０２がまた図示される。
【図１５】カスタマイズ化された蓋２０１を有するインタラクティブ食品もしくは飲料容器の複数の構成要素、インタラクティブディスプレイ／容器の構成要素２０２、コンピュータ、ネットワークおよび電源の構成要素２０３、並びにアクセサリベース２０４を図示する。ユーザに上記容器の方位を提供するディスプレイ表面２０２のオプションの平坦化された領域がまた図示される。
【図１６】カスタマイズ化された蓋の設計の複数の実施形態を図示する。コンピュータ、ネットワークおよび電源構成要素はインタラクティブディスプレイ／容器の構成要素上に設置されたカスタマイズ化された蓋を認識し、それに応じてその外観を変更するためにユーザインターフェースに信号を送信する。これにより、１つのインタラクティブディスプレイ／容器が、限定されないが例えば子供たちのドリンクボトル３０１、ハイカーのろ過ボトル３０２、エクササイズドリンクボトル３０３、テーマパークボトル３０４、もしくはコーヒーマグ３０５などの複数の使用および再使用に役立つことが可能となる。
【図１７】関連したソフトウェア機能性および／または複数の販売促進表示を有するインタラクティブなカスタマイズ化されたフォームファクタの複数の実施形態を図示する。すなわち、ハイカーのろ過ボトル４０１、エクササイズドリンクボトル４０２、テーマパークボトル４０３、コーヒーマグ４０４、スポーツ情報食品／飲料容器４０５、ファーストフードドリンクボトル４０６、朝の通勤マグ４０７、補給可能なポップボトル４０８および子供たちのドリンクボトル４０９。各コンテキストの蓋は、限定されないが例えば水浄化インジケータ４１０、エクササイズもしくは栄養の情報インジケータ４１１、テーマパーク乗物インターフェース４１４、リモート注文メニュー４１５、ｒｓｓリーダ４１６、販売促進コンテンツ４１７、指紋認識システム４１８およびゲーム４１９などの関連したソフトウェア機能性を動作させてもよい。
【図１８】複数の容器の実施例を図示し、上記複数の容器はそれらのディスプレイ表面がお互い隣りにもしくはお互いの上に設置され、それ故により大きいディスプレイを形成するために結合されてもよい。１つの、より大きい、断片化されたディスプレイを形成する６つの容器の実施例がまた図示される。この限定されない実施例は、複数の容器がコーヒーストアにおけるコーヒーカウンタ上に積み重ねられたときに断片化されたディスプレイ間を走る販売促進の広告キャンペーンを示している。
【図１９】円筒型のディスプレイ実施形態６０１を２本の手で保持し、そのディスプレイ上にレンダリングされるものよりも大きいドキュメント、ウェブページもしくは画像内をスクロールするために上記円筒型のディスプレイを回転させるユーザを図示する。スクロールは、その長手方向軸６０２のまわりに回転されるディスプレイを用いて、いずれかの方向において実行されてよい。
【図２０】円筒型のディスプレイ実施形態７０１の長手方向軸７０３と非同軸であるが平行である軸７０２のまわりに円運動を実施しているユーザを図示する。容器の実施形態において、この動作により容器の内部の複数の流動体に渦巻きが生じる。この動作は、ある実施形態において、物理学動作を用いてディスプレイ上のグラフィックスをスクロールするために、もしくはゲームへの入力として検知されて使用される。
【図２１】利き手でない手で湾曲されたディスプレイ実施形態を保持し、ディスプレイ上に利き手の２本の指を置き、側面にそって指を移動させるユーザを図示する。この限定されない実施例において、この動作はディスプレイ上にレンダリングされた複数のグラフィックオブジェクトを移動させるために使用される。
【図２２Ａ】利き手でない手で湾曲されたディスプレイ実施形態を保持し、ディスプレイ上に利き手の２本の指を置き、両方の指をお互いから離して移動させるユーザを図示する。これは、ディスプレイ上のグラフィックスを拡大させるために使用されてもよい。
【図２２Ｂ】利き手でない手で湾曲されたディスプレイ実施形態を保持し、ディスプレイ上に利き手の２本の指を置き、両方の指をお互いから離して移動させるユーザを図示する。これは、ディスプレイ上のグラフィックスを拡大させるために使用されてもよい。
【図２３Ａ】利き手でない手で湾曲されたディスプレイ実施形態を保持し、ディスプレイ上に利き手の２本の指を置き、第１の指の場所を保持しながら１本の指を他方から離して移動させるユーザを図示する。これは、第１の指の真下にあるグラフィックスが静止した状態のままとすることができるという方法でディスプレイ上のグラフィックスを拡大させるために使用されてもよい。
【図２３Ｂ】利き手でない手で湾曲されたディスプレイ実施形態を保持し、ディスプレイ上に利き手の２本の指を置き、第１の指の場所を保持しながら１本の指を他方から離して移動させるユーザを図示する。これは、第１の指の真下にあるグラフィックスが静止した状態のままとすることができるという方法でディスプレイ上のグラフィックスを拡大させるために使用されてもよい。
【図２４】他方でそれを保持しながら湾曲されたディスプレイ実施形態を１本の手で擦っているユーザを図示する。ラブジェスチャが、左および右に移動させ、並びに上から下へと移動させ、直立したもしくは横向きのディスプレイを用いて実行される。この動作に対するある限定されない例示の使用は、ディスプレイ上にレンダリングされた情報を削除もしくは消去（イレイス）するときにおいてである。
【図２５】１本の手で円筒型のディスプレイ実施形態を保持し、次にそれを直立状態からある角度へと傾けるユーザが図示される。これは、例えば、ディスプレイ上のグラフィックスを移動させ、もしくはディスプレイ上にレンダリングされた映画（ムービ）の再生速度を制御するために使用される。
【発明を実施するための形態】
【００３６】
定義
“フレキシブルディスプレイ”または“フレキシブルディスプレイ表面”は、任意の材料で作られた任意のディスプレイ表面を意味し、投影により構成された複数の投影には限定されないがそれらを含み、複数の有機発光装置または、例えば特許文献１などで説明された複数の技術に基づいた他の複数のフォームの薄い、薄膜のもしくはｅ−ｉｎｋ（電子インク）、カードボード、１つもしくはそれ以上の液晶ダイオード、１つもしくはそれ以上の発光ダイオード、１つもしくはそれ以上の積層有機の、透明有機のもしくはポリマー発光装置もしくはダイオード、１つもしくはそれ以上の光ファイバ、発砲スチレン、１つもしくはそれ以上のプラスティク、エポキシ樹脂、複数の布地、複数のＥ−布地（電子布地）、または衣類、人間の皮膚もしくは体の複数の要素または他の有機体、生きているもしくは死んでいる、炭素に基づいた複数の材料、または任意の他の３次元オブジェクトもしくは複数の建築モデルに限定されないがこれらを含むモデル、および製品パッケージングに基づいた技術において知られている実際のペーパーおよび電子ペーパーに限定されないがこれらを含む。
【００３７】
用語“ペーパーウィンドウ”は、それがフレキシブル電子ディスプレイを構成できるように、ペーパーのシートの形状、方位（オリエンテーション）および場所（ロケーション）を追跡して、投影システムを用いて上記ペーパーのシート上へと画像を背面投影することにより実行されるフレキシブルディスプレイ表面の１つの実施形態に言及する。この応用の範囲内で、上記用語はフレキシブルディスプレイ、フレキシブルディスプレイ表面もしくはドキュメントと交換可能なものとして解釈されてもよいが、フレキシブルディスプレイ、フレキシブルディスプレイ表面もしくはドキュメントの用語は、そのような解釈に限定されるべきではない。
【００３８】
用語“ドキュメント”は、フレキシブルディスプレイまたはフレキシブルディスプレイ表面と同意語である。
【００３９】
“マーカ”は、上記表面上の上記場所の位置（ポジション）もしくは方位を追跡する目的のためにフレキシブルディスプレイ表面上の特定の場所に添えられた装置に言及する。上記マーカは、赤外線コンピュータビジョンカメラを用いて場所を追跡する目的のために赤外線スペクトルにおける光を反射する材料で作られた小さい半球で構成されてもよい。上記マーカはまた、上記マーカの場所をコンピュータで計算する目的のためのコンピュータシステム、もしくは技術において知られている任意の他のタイプの場所の追跡システムへと報告する加速度計から構成されてもよい。このコンテキスト（文脈）において使用された類似の用語は、“ポイント”である。
【００４０】
“フォールド”は、“ベンド”と同意語であり、ここでフォールディング（フォールドすること）は、表面の水平軸または垂直軸に典型的に限定されて解釈される一方で、複数のベンドが任意の軸（２）に沿って生じられる。フォールディングは必ずしも折り目へと導かない。
【００４１】
複数のインタラクションスタイル
複数のフレキシブルディスプレイの位置および形状は、種々の複数のタスクに対して調整される。すなわち、これらの複数のディスプレイは、デスクの周りに広げられ、複数の積み重ねの中に編成され（オーガナイズされ）、または詳細なビューのためにクローズされる。直接的な操作が、ペーパーディスプレイそれ自身を用いて、すなわち複数の指を用いてもしくはデジタルペンを用いて選択して指示することにより行われる。この発明により提供された複数のインタラクションスタイルの文法は、情報を保持するペーパーおよび他の複数のフレキシブル材料の自然な操作の文法に従う。
【００４２】
図１から図１０は、１つのまたはそれ以上のフレキシブルディスプレイの複数の変形および場所に基づいたジェスチャのセットを示す。これらの複数のジェスチャは、システムとのインタラクションの基本的な複数のユニットを提供する。すなわち、
ホールド（保持すること）
複数のユーザは、使用の間、１本または２本の手を用いてフレキシブルディスプレイを保持することができる。現在保持されたディスプレイは動作中のドキュメントである（図１）。
【００４３】
コロケイト（配置する）
図２は、上記１つまたはそれ以上のフレキシブルディスプレイ上の情報を編成すること、もしくは再配置することに対する１つまたはそれ以上のフレキシブルディスプレイの空間的な配置の使用を図示する。ある実施形態において、複数のフレキシブルディスプレイを配置することにより、複数の画像コンテンツが配置される複数のフレキシブルディスプレイにわたって自動的に広げられ、もしくは拡大される。
【００４４】
コレイト（照合する）
図３は、複数のユーザがどのように複数のフレキシブルディスプレイを積み重ねてデスク上に積み重ねている上記ディスプレイを編成するかを図示する。そのような物理的な編成は、複数のディスプレイのコンピュータコンテンツを意味的に関連付けるか，もしくは関係付けることにより、もしそれが複数のファイル、サーバ上のデータベースの中に置かれたウェブベースのもしくは他の情報、ファイルシステムなどであれば、例えば複数のディスプレイの物理的な編成のある特性に従ってそのようなコンピュータコンテンツをソートすることにより、デジタルの世界の中に反映される。
【００４５】
フリップ（めくる）またはターン（回転させる）
図４は、複数のユーザがどのようにフレキシブルディスプレイをそのｘ軸またはｙ軸を介して折り曲げてそれ故に上記ディスプレイの他の側を現すことにより上記フレキシブルディスプレイをフリップまたはターンすることができるかを図示する。フレキシブルディスプレイのある軸のまわりのフリッピング（フリップすること）またはターニング（ターンすること）は、格納された情報をスクリーンのエッジ上に表示された情報に連続して現してもよい。留意すべきことは、このフリッピングまたはターニングのジェスチャは、その複数の軸のまわりのディスプレイのターニングまたはフリッピングの処理においてディスプレイ内に生じる複数の折れ線が上記ターンまたはフリップを検出するときにおいて使用されるという点において、硬質ディスプレイ表面を回転させるジェスチャとは異なる、ということである。１つのページの複数のドキュメントにおいて、ｘ軸のまわりのフリップジェスチャは、限定されない実施例において、上記ジェスチャの方向と逆の方向に関連するページコンテンツをスクロールしてもよい。この場合は、フレキシブルディスプレイは、上記ディスプレイのボトムが持ち上げられて次にトップまで折り重ねられるようにｘ軸のまわりにフリップされる。ここで、関連するグラフィックコンテンツがスクロールダウンされ、それ故にディスプレイ上に現在表示されたものの下のコンテンツが姿を現す。ディスプレイのトップを持ち上げて次に上記ディスプレイのボトムまでそれを折り重ねる逆のジェスチャは、コンテンツをスクロールアップさせて現在表示されたものの上側の情報が姿を現す。複数のページのドキュメントの実施形態において、ｘ軸のまわりの複数のフリッピングジェスチャは、上記ドキュメントの前のまたは次のページへとナビゲートするためのアプリケーションにより使用され、上記ジェスチャの方向性は未決定のままであってもよい。ウェブブラウザの実施形態において、上記ジェスチャは、ブラウジング履歴の以前のまたは次のページにナビゲートするために使用され、上記ジェスチャの方向性は未決定のままであってもよい。
【００４６】
もう１つの実施形態において、フレキシブルディスプレイは、上記ディスプレイの右手側が折り畳まれて次に左まで折り重ねられるようにｙ軸のまわりにフリップされる。これにより、コンテンツが右へスクロールされて現在ディスプレイ上のものの右に情報を現す。ディスプレイの左側が折り畳まれてそれで右側まで折り重ねる逆のジェスチャは、コンテンツが左へスクロールされて現在ディスプレイ上のものの左に情報を現す。複数のページのドキュメントの実施形態において、ｙ軸まわりの複数のフリッピングジェスチャは、上記ドキュメントの前のまたは次のページにナビゲートするためのアプリケーションにより使用され、上記ジェスチャの方向性は未決定のままであってもよい。ウェブブラウザの実施形態において、上記ジェスチャは、ブラウジング履歴の以前のまたは次のページへとナビゲートするために使用され、上記ジェスチャの方向性は未決定のままであってもよい。
【００４７】
フォールド（折り重ねる）
留意すべきことは、用語“フォールド”が使用されるときはいつでも、それは用語“ベンド”に代用されて逆もまた同様であり、ここで、フォールディングは典型的に表面の水平の複数の軸または垂直の複数の軸に限定して解釈される、ということである。フレキシブルディスプレイをその水平の軸もしくはその垂直の軸のいずれか、または両方のまわりに、次々ともしくは同時のフォールディングは、ドキュメントの画像コンテンツを変更するソフトウェアへの入力の手段の役割を果たし、または関連するコンピューティング機能性に影響を及ぼす（図４参照）。限定されない実施例として、これにより、ドキュメント内に表示された複数のオブジェクトを上記フォールドの重力の中心へと移動させ、または上記フォールドの重力の中心において表示されたプロパティ（特性）に従ってソートさせることができる。もう１つの限定されない実施例として、もし水があのフォールドを通り抜けられたならば存在するであろう上記フォールドの重力パスに従って、それにより、複数のオブジェクトが１つのフレキシブルディスプレイからその真下に置かれた第２のフレキシブルディスプレイに移動させられてもよい。
【００４８】
ハーフフォールド（二つ折り）
ここで、ドキュメントの１つの側またはコーナでフレキシブルディスプレイを部分的に折り曲げることによりスクロールを引き起こし、すなわち関連するファイルコンテンツにおける次のもしくは以前のページが表示される（図４）。
【００４９】
半永久的なフォールド
ここで、フレキシブルディスプレイをその水平軸もしくは垂直軸、または両方のまわりで折り曲げる行為は、それが放された後に半永久的に折り曲げられた状態のままでとあるいう方法において、コンピューティングシステムへの入力として役割を果たす。限定されない実施例において、フォールディングにより、複数のフレキシブルディスプレイと関連するいくつかの複数のコンテンツがデジタル的にアーカイブされる。もう１つの限定されない実施例において、フレキシブルディスプレイを折り曲げしないことにより、上記フレキシブルディスプレイに関連するいくつかの複数のコンテンツが上記フレキシブルディスプレイ上にアーカイブされないで表示される。もう１つの限定されない実施例において、上記フレキシブルディスプレイは、半永久的なフォールドと同時にその電力消費量は減少され、折り曲げしないことと同時に電力消費量は増加されるであろう（図４）。
【００５０】
回転させる（ロール）
ここで、平面形状から円筒型形状への、またはその逆のフレキシブルディスプレイの形状の複数の形状遷移のような上記フレキシブルディスプレイの形状を変更する行為は、コンピューティングシステムへの入力として役割を果たす。限定されない実施例において、これにより、フレキシブルディスプレイに関連するいくつかの複数のコンテンツが、平面形状から円筒型形状への遷移（ローリングアップ）と同時にデジタル的にアーカイブされ、円筒型形状から平面形状への遷移（アンローリング）と同時に上記フレキシブルディスプレイ上へとアーカイブされないで表示される。もう１つの限定されない実施例において、ディスプレイのローリングアップは、それをオフさせる一方で、ディスプレイのアンローリングはそれをオフにさせ、もしくはコンテンツを表示させる（図５）。
【００５１】
ベンド（曲げる）
ここで、任意の複数の軸のまわりのフレキシブルディスプレイを曲げることは、コンピューティングシステムへの入力として役割を果たす。曲げは、例えば、ソートするために使用されるべきスプレッドシートにおいて列の複数のデータプロパティを決定するために、上記ディスプレイ上の情報を選択するために使用されてもよいある目に見えるまたは目に見えない折れ線（２）を生成してもよい。もう１つの限定されない実施例において、ベンディング動作により、グラフィックの情報が、それが２次元のまたは３次元のいずれかにおいてフレキシブルディスプレイの湾曲に従うように変形される。ベンディング動作の解放により、フレキシブルディスプレイに関連する複数のコンテンツがその元の形状へと戻される。代わりに、ベンディングにより得られた複数の変形は、ベンディング動作の解放と同時に永久的となってもよい（図６参照）。
【００５２】
ラブ（擦る）
ラビング（ラブすること）ジェスチャは、複数のユーザが１つもしくはそれ以上のフレキシブルディスプレイとの間、またはフレキシブルディスプレイとコンピューティング周辺機器との間にコンテンツを転送させる（図７参照）。ラビングジェスチャは、典型的には水平に、ディスプレイ上の手の前後の動きを測定することにより検出される。このジェスチャは典型的に、最上のディスプレイからの情報がそれの真下の１つもしくはそれ以上のディスプレイまたは１つもしくはそれ以上の周辺機器に転送される、すなわちコピーもしくは移動される、というように解釈される。しかしながら、もし最上のディスプレイが任意のコンテンツに関連されない（すなわち、空である。）ならば、それが送り先となり、上記ディスプレイの真下のオブジェクトが情報転送のソースとなる。限定されない実施例において、もしフレキシブルディスプレイはプリンタ周辺機器の上に置かれるならば、ラビングジェスチャはそのコンテンツを上記プリンタ上にプリントさせるであろう。もう１つの限定されない実施例において、中身のないフレキシブルディスプレイはコンピュータスクリーン上でラビングされる場合は、あのスクリーン上の動作中のウィンドウは、それが上記ディスプレイ上に表示されるようにフレキシブルディスプレイに転送されるであろう。フレキシブルディスプレイがコンテンツを含む場合は、代わりに上記コンテンツはコンピュータスクリーンへと転送バックされる。最後の限定されない実施例において、１つのフレキシブルディスプレイがもう１つのフレキシブルディスプレイ上に置かれる場合は、最上のディスプレイに適用されるラビングジェスチャにより、もし上記最上のディスプレイがコンテンツを保持するならば、情報は最上のディスプレイからボトムのディスプレイにコピーされ、もし最上のディスプレイの中身がないのであれば、ボトムのディスプレイから最上のディスプレイにコピーされる。ラビングジェスチャに関連するすべての複数の実施例において、情報転送は、ソースディスプレイ上で現在選択されているそれらの複数のグラフィックオブジェクトに限定されてもよい。
【００５３】
ステイプル
複数のページのセットを連結する物理的なステイプル（とじ金）のように、２つまたはそれ以上のフレキシブルディスプレイは、設定閾値を超えた検出可能な力を用いて１つのものが第２のものと衝突できるようにともに置かれてもよい。このジェスチャは、もし送り先フレキシブルディスプレイの中身がないのであれば、移動するフレキシブルディスプレイに関連する情報を、静止した送り先ドキュメント上へとそっくりそのままコピーするために使用されてもよい。もし送り先ディスプレイの中身がないのであれば、上記動作はコレイトジェスチャと同一であろう。
【００５４】
ポイント（指示する）
複数のユーザは、彼らの複数の指またはデジタルペンを用いてペーパーウィンドウのコンテンツを指示することができる（図９参照）。複数の指および複数のペンは、コンピュータビジョン、複数の加速度計、またはいくつかの他の手段のいずれかにより追跡される。フレキシブルディスプレイの１回のタッピングは、１回のクリックを実行する。ダブルクリックは、フレキシブルディスプレイを迅速に連続して２回タッピングすることにより発行される。
【００５５】
２本の手によるポインティング（指示）
２本の手によるポインティングにより、複数のユーザが１つのフレキシブルディスプレイ上で、または配置される複数のフレキシブルディスプレイにわたって互いに素な複数のアイテムを選択できる（図１０参照）。
【００５６】
インタラクション技術
私たちは、私たちのジェスチャのセットを用いて基本的な複数のタスクを実行するための複数の技術を、以下の限定されない複数の実施例に従って設計した。
【００５７】
アクティベイト（アクティブにする）
複数のＧＵＩにおいて、アクティブ（動作中の）ドキュメントがその対応するウィンドウ上をクリックすることにより編集するために選択される。もし１つのウィンドウだけが１つのフレキシブルディスプレイと関連するならば、ホールドジェスチャがそのウィンドウをアクティブにしてそれを複数の入力操作を受けるウィンドウとするために使用される。フレキシブルディスプレイは、もう１つのフレキシブルディスプレイがユーザにより手に取られて保持されるまでアクティブ（動作中）の状態のままである。この技術は全く自然であるように見えるのだけれど、それは、例えばキーボードなどの入力装置を用いる場合は問題となるかもしれない。例えば、ユーザは１つのフレキシブルディスプレイから読み出す一方で、もう１つのフレキシブルディスプレイにおいてタイピングしてもよい。この関係を扱うために、複数のユーザは彼らのキーボードをキーを用いてアクティブウィンドウと結合することができる。
【００５８】
選択する（セレクト）
フレキシブルディスプレイ上の複数のアイテムが、１本の手または２本の手によるポインティングジェスチャにより選択される。ユーザが、それを指示してそれの２回のタッピングにより詳細な検査のためにページ上にアイテムを開く。２本の手によるポインティングにより、複数の手の平行な使用がページ上の互いに素な複数のアイテムを選択することを可能とする。例えば、複数のアイコンの複数のセットは、１本指を上記セットにおける第１のアイコン上に置き、次に他の手の人指し指を用いて１つまたはそれ以上のアイコンのタッピングにより早くグループ化される。典型的には、複数のフレキシブルディスプレイは、このジェスチャを実行する場合はフラットな表面上に置かれる。２本の手によるポインティングはまた、複数のラバーバンディング技術を用いて複数のアイテムを選択するために使用される。この技術を用いて、ラバーバンドの範囲内で、２本の指先の場所により境界をつけられた任意の複数のアイテムは、解放（リリース）と同時に選択される。代わりに、スクリーン上の複数のオブジェクトは、複数のベンドにより生じた折れ線または二重折れ線（２）上に置かれた複数のオブジェクトとして選択される（図６参照）。
【００５９】
コピーおよびペースト
複数のＧＵＩにおいて、情報をコピーしてペーストすることが典型的に、４つの具体的なステップを用いて実行される。すなわち、（１）ソースを特定すること、（２）コピーを発行すること、（３）ペーストの送り先を特定すること、（４）ペーストを発行すること。複数のフレキシブルディスプレイにおいて、これらの複数の動作は、簡単な複数のラビングジェスチャに統合される。すなわち、
フレキシブルディスプレイへの転送
複数のコンピュータウィンドウが、空白のフレキシブルディスプレイをコンピュータスクリーン上へのラビングによりフレキシブルディスプレイへと転送される。ウィンドウコンテンツは、コンピュータスクリーンからフレキシブルディスプレイをはがすと同時にフレキシブルディスプレイに転送される。上記処理は、フレキシブルディスプレイ上に表示されたドキュメントをコンピュータスクリーンへと転送バックする場合は逆とされる。
【００６０】
複数のディスプレイ間のコピー
複数のユーザは、１つのフレキシブルディスプレイから次へとコンテンツをコピーすることができる。これは、空白のディスプレイの上にフレキシブルディスプレイを置くことにより実行される。ソースページのコンテンツがそれを空白のディスプレイ上へラビングすることにより転送される。もし前の複数の選択がソースページ上に存在するならば、複数の強調表示されたアイテムだけが転送される。
スクロール
複数のユーザが、複数の不連続単位、もしくはページで、フレキシブルディスプレイのコンテンツを通じてスクロールすることができる。スクローリング（スクロールする）動作は、半分に折り重ねてもしくは折り重ねて、次にフレキシブルディスプレイをその水平軸または垂直軸のまわりのフリップジェスチャもしくはフォールドジェスチャを用いてフリッピングすることにより開始される。限定されない実施例において、これにより、関連するコンテンツにおいて次のページがフレキシブルディスプレイの裏面上に表示される。複数のユーザは、上記フリップを逆にすることによりスクロールバックすることができる。
【００６１】
ブラウズする
水平軸または垂直軸のまわりの複数のフリップまたは複数のフォールドはまた、アプリケーション特定である前後の複数の動作を特定するために使用されてもよい。例えば、ウェブをブラウジングする場合は、左フリップは、以前のページをロードする。現在のページへ戻すために、複数のユーザは右フリップを発行するであろう。空間的に直交する複数のフリップの使用により、複数のユーザが独立してドキュメントをスクロールしてナビゲートすることを可能とする。
複数のビュー
ステイプルジェスチャは、複数のフレキシブルディスプレイ上のドキュメントの平行な複数のコピーを生成するために使用される。複数のユーザは、ソースディスプレイを用いて空白のディスプレイに影響を及ぼすステイプルジェスチャを発行することにより、新しいビューを同一のドキュメントの中へと開くことができる。これにより、例えば、複数のユーザが２つの分離したフレキシブルディスプレイを用いて同時にドキュメントの互いに素の複数の部分を編集することを可能とする。代わりに、複数のユーザは、ソースフレキシブルディスプレイのそばに空白のフレキシブルディスプレイを置いて、それ故にコロケイトジェスチャに従ってビューを拡大させることにより、ドキュメント内に同時に複数のページを表示することができる。両方のディスプレイ間のラビングにより、上記システムはソースドキュメントの次のページをそれのそばにある空白のフレキシブルディスプレイ上へと表示させる。
【００６２】
リサイズ（サイズを変更する）／スケール（拡大縮小する）
フレキシブルディスプレイ上に投影された複数のドキュメントは、２つの技術のうちの１つを用いて拡大縮小される。第１に、ディスプレイのコンテンツは、ドキュメント内で拡大される。第２に、複数のユーザは、ソースマテリアルをより大きいサイズを有するフレキシブルディスプレイへ転送することができる。これは、より大きいディスプレイ上へのソースディスプレイのラビングにより実行される。転送と同時に、コンテンツは自動的に、より大きいフォーマットに適合するためにサイズを変更する。
共有する（シェア）
結び付けられた複数のユーザはしばしば、複数のドキュメントを電子メールもしくはプリントアウトすることにより、情報を共有する。私たちは、２つのシェアリング（共有すること）の方法を実行した。すなわち、スレーブとコピー。ドキュメントをスレーブする場合は、ユーザはソースを空白のディスプレイ上にそっくりそのままコピーするためにステイプリングジェスチャを発行する。第２の技術において、上記ソースは、ラビングジェスチャを用いて空白のディスプレイへとコピーされて、次にグループメンバーへと手渡される。
【００６３】
オープン（開く）
複数のユーザは、複数のフレキシブルディスプレイ、または例えばデジタル的に静止したような複数のスキャナおよび複数のコピー機などの複数のコンピュータ周辺機器を含む他の複数のオブジェクトを使用することができる。静止した複数のページは、複数のアプリケーションアイコンのセットを表示するだけの空白の複数のフレキシブルディスプレイである。複数のユーザは、アプリケーションアイコンのタッピングによりフレキシブルディスプレイ上に新しいドキュメントを開くことができる。複数のユーザは、コンテンツをスキャナまたは電子メールアプライアンスからそれを上記スキャナまたはアプライアンス上へのラビングにより検索してもよい。複数のユーザはまた、ロールもしくは半永久的なフォールドジェスチャを通じて、ディスプレイもしくは関連する複数のコンピューティングリソース（供給源）を削減されたエネルギー使用の状態に置いてもよく、ここで上記条件は上記ディスプレイをアンローリングもしくはアンフォールディングすると同時に逆とされる。
セーブ（保存する）
ドキュメントは、１つのフレキシブルディスプレイ上でラビングジェスチャを実行することにより保存される一方で、典型的にはそれは表面上に置かれる。
クローズ（閉じる）
フレキシブルディスプレイ上に表示されたコンテンツは、ラビングジェスチャを用いてその複数のコンテンツをデスクトップコンピュータへと転送することによりクローズされてもよい。コンテンツは、フレキシブルディスプレイをクランブルし、もしくはシェイクすることにより消去されてもよい。
【００６４】
発明の装置
本発明のある実施形態において、例えばカードボードモデル、１枚のペーパー、テキスタイルまたは人間の皮膚などの実際の１枚のフレキシブルな、湾曲されたもしくは３次元のマテリアルは、コンピュータビジョンを用いて追跡されモデル化されテクスチャマップ化されて、次にオブジェクト上に背面投影されてもよい。代わりに、複数のコンピュータビジョン方法は簡単に、投影構成要素を必要としないフレキシブルディスプレイの形状、方位および場所を追跡するために使用されてもよい。これにより、実際において、６つの自由度における任意のオブジェクトの動き、形状および複数の曲面に追従する投影された両面のあるフレキシブルディスプレイ表面を実行する。フレキシブルディスプレイ（１）のそのような実施形態に対して必要とされる複数の要素（エレメント）の概観が、図１０および図１１において提供される。この限定されない実施例において、複数の赤外線（ＩＲ）反射マーカドット（３）を用いて拡大される。図１３は、捕捉（キャプチャ）および投影システムの要素を図示し、ここで、ユーザ（７）の複数の指（６）は、数字に３つまたはそれ以上のＩＲマーカドットを添えることにより追跡される。デジタル投影ユニット（５）は、シーン上への画像の投影を可能にさせ、赤外線のまたはモーションキャプチャリングカメラ（４）のセットは、ペーパーの複数のシートの形状、方位および場所の追跡することを可能とする。以下のセクションは、上述した複数の装置要素それぞれについて説明し、システムのこの実施形態における他の複数のオブジェクトに対するそれらの関係を図示する。この実施例は、複数のマーカドットの代わりに組み込まれ、複数のフレキシブルディスプレイ上に搭載された複数の加速度計を含む装置の他の可能な複数の実施形態に持ちこたえない。そのような実施形態において、複数の無線加速度計は、絶対的なまたは相対的な場所を決定するために、３次元におけるマテリアルのマークされた複数の位置の加速度をホストコンピュータに報告する。
【００６５】
ある実施形態において、コンピュータビジョン構成要素は、マテリアルに搭載された逆反射の複数のマーカの３次元の動きデータを捕捉することができるビーコン（２３）追跡機または同等のコンピュータビジョンシステムを使用する。私たちのセットアップは、ユーザの作業（仕事）環境を取り囲む１２個のカメラ（４）から成り、２０’×１０’の作業空間の範囲内ですべての逆反射の複数のマーカ（３）の３次元の動きを捕捉する（図１３参照）。次に、上記システムは、シーンにおける各フレキシブルディスプレイ表面の形状、場所および方位をマッピングする完全な３次元描写を再構成するために上記ビーコンデータを使用する。
【００６６】
この実施形態において、フレキシブルディスプレイのモデリングの初期の処理は、マーカデータを獲得する前に必要とされる。第１に、環境を通じてフレキシブルディスプレイの典型的な複数の動きを説明する動き（モーション）範囲（ＲＯＭ）トライアル（試み）が捕捉される。このデータは、フレキシブルディスプレイを描写する３次元モデルを再構成するために使用される。ビーコンソフトウェアは、上記ＲＯＭトライアルを上記モデルに較正し、リアルタイムの捕捉の間のフレキシブルディスプレイマテリアルの複数の動きを理解するためにそれを使用し、効果的に表面上の各マーカドットをメモリ内のフレキシブルディスプレイのモデル上の対応する場所へとマッピングする。マーカデータを獲得するために、私たちは、ビーコンのリアルタイム開発キット（２３）の一部として利用可能であるサンプルコードを変更（モディファイ）する。
【００６７】
上述したように、作業空間の範囲内の各フレキシブルディスプレイ表面は、上記表面の形状、変形、方位および場所をコンピュータで計算されるのを可能とする複数のＩＲ反射マーカ、複数の加速度計および／または複数の光ファイバを用いて拡大される。ペーパーシート、またはペーパー形状のフレキシブルディスプレイ表面の実施形態において、複数のマーカが、８個の点グリッドを形成するために添えられる（図１０および図１１参照）。コンピュータビジョンが使用される実施形態において、複数のグラフィックエンジンは私たちのモデリング構成要素に対してマーカデータをストリーム化するビーコンサーバとインターフェースをとる。複数の加速度計が使用される実施形態において、複数のマーカの複数の座標または複数の相対座標が上記複数のマーカの加速度からコンピュータで計算され、私たちのモデリング構成要素に対して提供される。上記モデリング構成要素はその後に、システムにより追跡された各フレキシブルディスプレイ表面のオープンジーエル（ＯｐｅｎＧＬ）において３次元モデルを構成する。上記フレキシブルディスプレイ表面の中心点は、上記表面上の複数のマーカ間を平均化することにより決定される。複数のマーカ場所のベジェ曲線分析は、フレキシブルディスプレイ表面形状の流体モデルを構成するために使用され、ここで、複数のベジェ制御点はディスプレイ表面上の複数のマーカの場所に対応する。続いて、上記表面の動きの分析が、種々の複数のジェスチャを検出するために使用される。
【００６８】
コンテンツを複数のフレキシブルディスプレイに提供する複数のアプリケーションは、関連するコンピュータ上で実行される。フレキシブルディスプレイ表面が投影なしにデータを表示することができるポリマーフレキシブルディスプレイから構成される場合において、複数のアプリケーションウィンドウは簡単に、上記ディスプレイに転送されて表示される。投影されたフレキシブルディスプレイの場合においては、複数のアプリケーションウィンドウは最初に、オープンジーエルのグラフィックエンジンの中へとオフスクリーンレンダリングされる。グラフィックエンジンは、複数のリアルタイムスクリーン捕捉を実行し、コンピュータ画像をディスプレイ表面の３次元オープンジーエルモデルへとマッピングする。次に、デジタルプロジェクタは逆のカメラビューをフレキシブルディスプレイ表面上へと背面投影する。変換されたオープンジーエルモデルを背面投影することは、フレキシブルディスプレイ表面の形状により生じた任意のスキューを自動的に補正し、効果的にこれら２つのことは同時に起こる。グラフィックエンジンは同様に、カーソルの複数の動きのように処理するためにこの情報をオフスクリーンウィンドウに提示する環境において複数の指および複数のペンをモデル化する。代わりに、複数のペン、複数の指もしくは他の複数の入力装置からの入力は、技術において知られている他の複数の方法を通じて獲得される。この限定されない実施例において、ユーザ（７）の複数の指（６）は、３つのＩＲ反射マーカ（３）を用いてそれらを拡大させることにより追跡される。複数のセンサが、指先から基本の指間接まで均一に置かれる。複数のペンは、環境の至るところで同様に追跡される。指またはペンとフレキシブルディスプレイ表面との交差点は、平面幾何学を用いて計算される。上記ペンまたは指が十分に接近している場合は、その先はフレキシブルディスプレイ表面の平面上へと投影される。次に、上記先の位置は、ディスプレイの長さと幅とに関連する。上記ディスプレイ（１）上の点のｘおよびｙの位置は、簡単な三角法を用いて計算される。上記ペンまたは指がディスプレイをタッチする場合は、入力装置は動作する。
【００６９】
画像化（イメージング）
投影されたフレキシブルディスプレイの実施形態において、複数のコンピュータ画像または複数のウィンドウは、作業空間の上方にポジショニングされたデジタルプロジェクタ（５）により、ペーパー上へとレンダリングされる。上記プロジェクタは、それが視角の０度と４５度との間のフレキシブルディスプレイ表面を用いてクリアな視線を可能とするように置かれる。１つのプロジェクタを用いることにより、複数のトレードオフのセットを導入する。例えば、シーンに接近してプロジェクタをポジショニングすることによって画像の質は改善されるが全体の使用可能な空間は減少し、逆もまた同様である。代わりに、複数のプロジェクタのセットは、それがユーザの環境の至るところに移動するので、フレキシブルディスプレイ表面上へとレンダリングするために使用される。
【００７０】
初めに、較正手順は、フレキシブルディスプレイの物理的な位置とプロジェクタのデジタル出力とをペアとするために必要とされる。これは、それが物理的なディスプレイ表面の複数の次元と整合するまでプロジェクタ出力の位置、回転（ローテーション）およびサイズを調整することにより実行される。
【００７１】
ジェスチャ分析
以下のセクションにおいては、用語“マーカ”は、用語“加速度計”と交換可能である。システムにおけるペーパーおよび他の複数のマテリアルの物理的な動きを理解することは、複数のアプローチの組み合わせを必要とする。例えばステイプリングなどの複数のジェスチャに対しては、２つのフレキシブルディスプレイ表面をお互いの方向に向かって急速に移動されるときに認識することが比較的容易である。しかしながら、フリッピングは、フレキシブルディスプレイの前の状態のナレッジを必要とする。この事象（イベント）を認識するために、ページのトップおよびボトムにおける複数のマーカのｚ場所が追跡される。垂直のまたは水平の半回転の間、ｚ次元上の相対的な場所は、複数のマーカとの間で交換される。複数のマーカの動きは、フリップ、フォールドまたはベンドの方向を決定するためにそれらの以前の位置と比較される。
【００７２】
ラビングなどのより進歩した複数のジェスチャを検出するために、マーカデータは複数のトライアルを介して記録されて次に上記データは分離される。一旦置かれると、ジェスチャは指先の動きの各構成要素に対する距離ベクトルを計算するために標準化されて使用される。上記システムは、信頼値を確立するためにこの距離ベクトルを使用する。もしこの値が予め決定された閾値を越えるならば、そしてそのようなジェスチャがディスプレイ表面近くで起こるならば、ラビングの事象がアプリケーションに対して発行される。
【００７３】
実施例
実施例１：写真コラージュ
本発明により提供される機能性から利益を得るであろう多数の使用シナリオが存在する。１つのそのような限定されない実施例は、生の映像を含んだデジタル写真データベースからのプリントアウトのための複数の写真の選択である。私たちの設計は、専門の複数の写真家による複数のべた焼きの使用により着想された。複数のユーザは、２つのフレキシブルディスプレイを用いて１つの総括（オーバービュー）ディスプレイ上の１つの写真を選択して次にラビングジェスチャを用いてそれを第２のディスプレイ上へとラビングして、写真コラージュを構成することができる。このシナリオは、データベースのサムネイルオーバービューを提供する１つのディスプレイとより詳細なビューを提供する他のディスプレイとを用いるフォーカスおよびコンテキスト技術としてフレキシブルディスプレイ入力の使用を示す。複数のユーザは、ソースページを指示し、もしくはベンドジェスチャを用いて折れ線を発生させることにより複数の列を選択することにより、複数のサムネイルを選択することがでる。２つの折れ線を交わらせることにより、１つの写真またはオブジェクトが選択されてもよい。回転されるように見える複数のサムネイルは、人指し指の簡単な旋回する動作を用いて調整される。選択の後、複数のサムネイルは、送り先ページに適合させるためにサイズ変更されてもよい。完了された場合は、送り先フレキシブルディスプレイのコンテンツはプリンタ上へとラビングジェスチャを実行することにより印刷される。プリンタ場所は、フレキシブルディスプレイの場所へと同様に追跡され、上記システムに知らされる。発明によりサポートされる複数のジェスチャはまた、選択の前に複数の写真を編集するために使用される。例えば、複数の写真は、２本の手によるジェスチャを用いて画像の部分を選択し、次に上記選択を送り先フレキシブルディスプレイ上へとラビングすることによりトリミングされる。複数の写真は、それらをより大きいフレキシブルディスプレイ上へとラビングすることにより拡大される。
【００７４】
実施例２：フレキシブルカードボードゲーム
この限定されない実施形態において、本発明は、その複数のグラフィックアニメーションを物理的なゲームボードの複数のピース上へと表示するコンピュータゲームを実行するために使用される。上記複数のピースは、この発明において説明された装置、すなわち電子ペーパー、ＬＣＤ、ｅ−ｉｎｋ（電子インク）、ＯＬＥＤまたは他のフォームの薄い、もしくは薄膜の複数のディスプレイを用いると同時に追跡されて投影されるカードボードから構成されてもよい。よく知られたボードゲームのカタンの開拓者たち（Ｓｅｔｔｌｅｒｓ  ｏｆ  Ｃａｔａｎ）は、ゲームボード設計から構成され、そこで、印刷された機能性を有する六角形の複数のピースが各ゲームにおいて異なって設置されて、異なる各ゲームであるゲームボードを可能とする。各六角形のピース、すなわちヘックス（ｈｅｘ）は、ゲームの目的である複数の道路または複数の入植地を構築するために使用される原材料または商品を表す。このアプリケーションにおいて、各ヘックスが、ボードが形成されるように、複数のヘックスを通じて追跡されるものと同一の形状、位置および方位のフレキシブルディスプレイにより置き換えられる。次に、コンピュータアルゴリズムは、上記機能性を各フレキシブルディスプレイヘックス上へとレンダリングする。このことは、毎回ボード設計を計算してランダム化するコンピュータアルゴリズムにより実行される。複数のヘックス上のグラフィックスが、ゲームの状態を追跡して描写するコンピュータグラフィックスを用いてアニメーション化される。上記ゲームにおけるすべての複数の物理的なオブジェクトが私たちの発明の装置により追跡され、潜在的には複数のディスプレイ表面のように使用される。例えば、ユーザがさいころを振る場合は、上記さいころの一振りの結果が上記ゲームに知らされる。代わりに、上記システムがユーザのためにさいころを振って、さいころの一振りで出た目を表す立方体形状のフレキシブルディスプレイ上に結果を描写してもよい。上記ゲームにおいて、上記さいころにより提供された数字は、複数のユーザに対して商品を生じさせるべきヘックスを指し示す。上記ゲームのこの状態の間ヘックス上に提示されるアニメーションの例として、ヘックスが森林地帯を指し示す場合は、木こりが木を切ってそれ故に森林資源をユーザに提供するためにヘックス上へと歩くためにアニマ化されてもよい。同様に、都市および道路の複数のオブジェクトは、それらが複数のヘックスボード要素上へと設置された後、複数のワゴンおよび複数の人間と一緒にアニメーション化されてもよい。複数の港または複数の海を表す複数のヘックス要素は、港から港へと商品を移動させる複数の船と一緒にアニメーション化されてもよい。複数のアニメーションは、ゲームにおける挙動をトリガし、上記ゲームをよりチャレンジングにしてもよい。例えば、都市または港が爆発して、ユーザが例えば都市または港を再構築するなどの行動をとることを必要としてもよい。または、資源が使い果たされてもよく、それは森林地帯ヘックスがゆっくりと牧草地ヘックスへと変化し、牧草地ヘックスがゆっくりと非生産的な砂漠ヘックスへと変化することにより描写される。気候がシミュレーションされて、複��のユーザが異なる季節の複数の環境のもとでゲームをプレイすることを可能とし、それ故に彼らの制約に影響を及ぼすこととしてもよい。例えば、複数の冬の間、複数の港が使用されなくてもよい。この発明により、例えばシムシティ（Ｓｉｍｃｉｔｙ）、ザシムズ（Ｔｈｅ  Ｓｉｍｓ）、ワールドオブウォークラフト（Ｗｏｒｌｄ  ｏｆ  Ｗａｒｃｒａｆｔ）またはエバークエスト（Ｅｖｅｒｑｕｅｓｔ）などの技術において知られている複数のｐｃベースのまたはオンラインコンピュータゲームの機能性が物理的なボードゲームの複数の要素の機能性と融合されることを可能とする。
【００７５】
実施例３：複数の３Ｄフレキシブルディスプレイオブジェクト
この限定されない実施形態において、本発明が任意の３次元オブジェクト上にディスプレイを提供するために使用され、その結果それが上記３次元オブジェクト上にレンダリングするアニメーションまたはグラフィックスを可能にする。例えば、本発明が、例えばこれには限定されないがアップルアイポッド（登録商標）（Ａｐｐｌｅ  ｉＰｏｄ）などの複数の電子アプライアンスユーザインタフェースの設計のための急速なプロトタイピング環境を実行するために使用されてもよい。そのような実施形態の１つの要素は、カードボード、スタイロフォームなどから作られ、この発明の装置を用いると同時に追跡されて投影されるか、もしくは電子ペーパー、ＬＣＤ、ｅ−ｉｎｋ（電子インク）、ＯＬＥＤまたは他のフォームの薄い、もしくは薄膜の複数のディスプレイにより表面を覆われるかのいずれかであるアプライアンスの３次元モデルであり、その結果上記アプライアンスの複数の形状および複数の湾曲が追従される。もう１つのフレキシブルディスプレイ装置が、この発明において説明された。上記ゲームの複数のルールに従ってボードをセットアップすることよりむしろ、複数のユーザは、例えば複数のディスプレイおよび複数のダイアルなどの複数のユーザインターフェース要素が表示されるパレットとしての役目を果たすフレキシブルディスプレイをちょうどレイアウトする必要がある。これらの複数のユーザインターフェース要素は、上記パレットディスプレイ上のその対応する場所をタップすることによりユーザにより選択されてピックアップされる。上記アプライアンスモデル上の次のタッピングにより、選択されたユーザインターフェース要素が、アプライアンスのフレキシブルディスプレイ表面上へと置かれる。複数のユーザインターフェース要素は、上記モデルの表面上のペンまたは指ジェスチャを用いてお互いに接続されまたは関連していてもよい。例えば、ダイアルユーザインターフェース要素は、上記ダイアルがアクティブにされる場合は上記ムービを通じてスクロールが引き起こされるように、上記モデル上のムービユーザインターフェース要素に接続されてもよい。上記表面上の複数の要素を編成した後、次のモデル上へのユーザのタッピングは、上記アプライアンスの機能性を動作させてもよく、例えば、プレイボタンは、上記装置にサウンドを生じさせ、もしくはそのムービユーザインターフェース要素上でビデオをプレイさせてもよい。これにより、複数の設計者が、製造する前のアプライアンス設計上の複数のボタンおよび複数のメニューなどの種々の複数のインタラクションスタイルおよび複数のインタラクション要素のレイアウトを容易に試みることを可能とする。もう１つの実施形態において、上述したモデルは、あるビルディング設計を表す３次元建築モデルである。ここで、上記建築モデルの各要素は、フレキシブルディスプレイ表面から構成されている。例えば、１つのフレキシブルディスプレイ表面は壁要素として形作られてもよい一方で、もう１つのフレキシブルディスプレイ表面は、より大きい建築モデルを形成するために物理的にともに設置された屋根要素として形作られてもよい。もう１つのフレキシブルディスプレイ表面は、ユーザが複数の色および複数の���料（マテリアル）を選択できるパレットとしての役目を果たす。これらは、説明された複数のインタラクション技術のいずれかを用いて、建築モデルの複数のフレキシブルディスプレイ要素上へとペーストされる。一旦ペーストされると、建築モデルの上記複数の要素は、実際のビルディングの建築において使用されるために複数の材料または複数の色を反映させてシミュレーションする。実施例２のように、フレキシブルディスプレイ建築モデルは、例えば複数の季節または衣服および涙などの生きているまたは物理的な複数の状態がシミュレーションされるようにアニメーション化される。もう１つの実施形態において、フレキシブルディスプレイモデルは、製品パッケージングを表す。ここで、種々の複数のグラフィック要素を含んだパレットは、上記製品パッケージング上に、例えば製品上に複数のタイポグラフィック要素のポジショニングを決定するために置かれる。この実施例の拡張により、製品パッケージングは、上記製品パッケージングが、これらには限定されないがオンラインコンテンツ、複数のメッセージ、複数のＲＳＳフィード、複数のアニメーション、複数のＴＶショー、複数のニュースキャスト、複数のゲームなどを含んだいくつかのコンピュータ機能性を反映するためにアニメーション化されもしくは使用されるように、１つもしくは複数のフレキシブルディスプレイ表面をそれ自身に含むか、または１つもしくは複数のフレキシブルディスプレイ表面から構成されていてもよい。限定されない実施例として、複数のユーザは、上記容器上のコマーシャル広告またはＴＶショーをプレイしもしくは複数の電子メッセージをチェックするために、組み込まれたフレキシブルディスプレイ表面を用いてソフトドリンクまたは食品容器の表面をタップしてもよい。複数のユーザは、そのディスプレイ上のコンテンツを通じてスクロールするために容器を回転させてもよいし、もしくはコンテンツを通じてスクロールするためにラビングジェスチャを使用してもよい。もう１つの実施形態において、製品パッケージングそれ自身が、複数のユーザがリモートコンピュータシステムを制御することを可能とさせるポインティング装置として使用される。
【００７６】
インタラクション技術
図１４から図２５は、湾曲された複数のディスプレイおよび／またはインタラクティブ飲料または食品容器のための複数のインタラクション技術のセットを図示する。これらの複数のインタラクション技術の任意の組み合わせは、特定の機能または動作を表示しまたはアクティブにする（動作させる）場合に検知するために使用されてもよい。これらの複数の入力技術は、上記システムとのインタラクションの基本的な複数のユニットを提供する。すなわち、
１．ホールド（保持する）
図１４に図示されるように、複数のユーザは、１本または２本の手を用いて装置を保持することができる。ある実施形態において、これは、上記装置をスリープからアクティブにする役目を果たす。上記装置が１本の手を用いて保持される場合、典型的にはこれには限定されないが利き手でない他方の手がいまだに、以下のリストにおけるありとあらゆる複数の残っているインタラクション技術を実行するために使用されてもよい。ホールドが検出された場合は、保持している手からの複数の指による入力は、他方の手の複数の指によるもしくは保持している手の親指による入力の解釈と邪魔されないように抑えられる。
【００７７】
２．コロケイト（配置する）およびコレイト（照合する）／スタック（積み重ねる）
図１８は、それらの複数のディスプレイ上の情報を編成することまたは再配置することに対する複数の装置の空間配置の使用を図示する。ある実施形態において、複数の装置の水平のコロケイティング（コロケイトすること）、または複数の装置の垂直のコレイティング（コレイトすること）（スタッキング（スタックすること））は、複数の画像コンテンツを複数の装置スクリーンにわたって自動的に広げ、もしくは拡大させることを可能とする。任意の複数のインタラクション技術はいま、配置されもしくは照合された複数のディスプレイスクリーンの全体表面にわたって操作し、複数のグラフィック要素は、適切なインタラクション技術の使用を通じて複数のスクリーンの複数の境界を横切って移動されてもよい。
【００７８】
３．ターンまたは回転させる
図１９は、複数のユーザがどのように装置をその長手方向軸のまわりに回転させもしくはターンさせて、それ故に上記装置のディスプレイの他方側の姿を現すかを図示する。ある実施形態において、ある軸のまわりに装置を回転させることにより、上記ディスプレイのエッジ上に表示された情報に連続して格納された情報が姿を現してもよい。留意すべきことは、この回転は、ビューから隠された表示の複数の部分がターンもしくは回転させている処理の間ずっと連続的に姿を現すという点において、例えば複数のＰＤＡにおいて見られるフラットな硬質ディスプレイ表面のフリッピングの回転とは異なる、ということである。回転は、限定されない実施例において、全体の表示が移動するのでスクロールと類似しているかもしれないのだけれど、グラフィックスは実際には上記表示上を移動させる必要はない。ある限定されない実施例において、情報は、ユーザに対して目に見えるようになっていく表示の複数の部分上のユーザに対して目に見えている表示の部分上に表示された情報に対して連続的に描かれ、目に見えるようになっていく上記複数の部分上にすでに表示された情報を上書きする。７２０度のターンの後、このことは、ディスプレイ上のすべての情報が上書きされるであろうことを意味する。反対の回転により、コンテンツは関連するドキュメントまたはアプリケーションにおける反対方向において姿を現す。もう１つの実施形態において、上記スクロールはいくつかの残りの状態から離れて装置の回転と比較しているスクロールレートを用いて開始される。もし上記装置が、直立状態を指示するその長手方向軸を用いて保持されるならば、回転により、情報が姿を現しすなわち現在表示された情報の右または左それぞれへと姿を現す。上または下の情報の姿を現させるために、そのような条件における表示は、スワイプの使用を必要としてもよい。もし装置がその長手方向軸を用いて水平に保持されるならば（これは典型的には、両方の先端において上記装置を保持する２本の手を必要とする。図１９参照。）、現在表示された情報の上または下の情報がそれぞれに姿を現す。右または左に対する情報の姿を現させるために、そのような条件における表示は、スワイプの使用を必要としてもよい。グラフィックオブジェクトがディスプレイ上で指を用いて選択される場合は、上記オブジェクトは静止した状態のままであってもよい一方で、回転は背景のグラフィックスだけに作用してもよい。これにより、比較的容易に複数のオブジェクトが大きい複数のドキュメントにわたって移動させることを可能とする。
【００７９】
４．スワール（旋回させる）
図２０は、装置がどのように上記装置の長手方向軸７０３とは非同軸であるが平行である軸７０２のまわりに旋回させてもよいのかを図示する。これは、上記軸が水平のまたは垂直である間発生してもよい。後者のケースでは、２本の手が典型的に装置を保持し、１本の手が各先端で保持する。ある実施形態において、上記装置のスワーリング（スワールすること）により、上記ディスプレイのエッジ上に表示されている情報に連続的に格納された情報の姿を現してもよい（スクロール）。限定されない実施例において、これは、回転の方向の関連するページコンテンツに対して反対の方向の関連するページコンテンツをスクロールする。例えば、装置が直立状態を指示するその長手方向軸を用いて保持される場合は、装置の時計回り方向のスワーリングは、現在表示された情報の右に対する情報がレンダリングされる。上記装置の反時計回りのスワーリングは、現在ユーザの目に見えている表示エリアの左に対する情報が右へと移動されてユーザの目に見える領域の中へと移動される。同様に、長手方向軸が水平に位置合わせされるならば、ディスプレイ表面自身の動きの流れが下向きとなるスワーリングは、ユーザに対して現在目に見えている領域の上側にレンダリングされた情報が下に移動されてユーザに対して目に見える領域の中へと移動される一方で、上へのスワーリングは、反対の効果を引き起す。短いスワールは、関連する物理モデルを用いて演算するグラフィックスのためのインパルスとしての役目を果たし、表示された情報を上記スワールのインパルスに関連する加速度を用いて短いスワールの方向に移動されてもよい。グラフィックオブジェクトがディスプレイの上を押さえた指を用いて選択されるならば、上記オブジェクトは静止したままであってもよいし、スワールは背景のグラフィックスだけに作用してもよい。これにより、複数のオブジェクトを、比較的容易に大きい複数のドキュメントにわたって移動させることを可能とする。
【００８０】
５．非平面スワイプ
図２１は、スワイプ技術を図示し、それは設定最低距離にわたってかつ設定最低速度を用いてディスプレイ表面に沿って１つまたはそれ以上の指を移動させることを含む。スワイプは、移動の任意の方向において認識され、ある実施形態において、それは水平のまたは垂直の移動認識だけに制限されるであろう。このスワイプは、フラットでないスクリーン上で起こり、それ故に接触点での通常の平面と比較して３次元軌道に追従するために１つまたは複数の指を必要とする。スワイプは、長手方向軸が水平または垂直である間発生してもよい。後者のケースでは、２本の手が典型的には装置を保持し、１本の手が各先端で保持する。ある実施形態において、装置上でスワイプを実行することにより、上記ディスプレイのエッジ上に表示された情報に対して連続的に格納された情報が姿を現してもよい。例えば、上記装置が直立状態を指示するその長手方向軸を用いて保持される場合は、右へのスワイプにより、現在表示された情報の左に対する情報がユーザに対して目に見える表示領域上に姿を現す。左へのスワイプにより、現在表示された情報の右に対する情報がユーザに対して目に見える表示領域上に姿を現す。同様に、長手方向軸が水平に位置合わせされる場合は、下へのスワイピングによりグラフィック表示のトップエッジの上側に存在するドキュメントまたはアプリケーションにおける情報が姿を現す一方で、上へのスワイピングによりユーザに対して目に見える現在のグラフィック表示のエッジの下側にある情報が姿を現す。スワイプは、関連する物理モデルを用いて演算するグラフィックスのためのインパルスとしての役目を果たし、表示された情報を上記スワイプの方向に関連するインパルスを用いたスワイプに対する方向に移動させる。グラフィックオブジェクトが指を用いてディスプレイ上で選択された場合は、上記オブジェクトは静止したままであってもよいし、スワイプは背景のグラフィックスだけに作用してもよい。限定されない実施例において、これにより、複数のグラフィックオブジェクトを比較的容易に大きい複数のドキュメントにわたって移動させることを可能とする。もしスワイプが選択されたオブジェクトの任意の部分を交差するならば、このことが、代わりに、そのオブジェクトがスワイプインパルスを用いて加速された物理動きモデルを用いて移動されるであろう。この場合は、背景のグラフィックスは移動しない。
【００８１】
６．非平面ストリップスワイプ
ストリップスワイプは、直立して保持される装置の長手方向軸の位置から見られる、またはディスプレイ表面のちょうど上もしくは下にあるディスプレイのトップまたはボトムの先端上で発生するスワイプである。そのようなスワイプは、振る舞いにおいて非平面スワイプと同一であり、しかしながら、この限定されない実施例において、それはディスプレイのトップまたはボトム上に表示されたメニューバーをスクロールするための役目を果たし、ティッカに類似している。この限定されない実施例において、複数のメニュー選択が、ディスプレイ上のメニューをタッチすることにより、またはディスプレイ上のメニューの上もしくは下へのストリップをタッチすることにより行われる。上記メニューは指のタッチと同時にその複数のアイテムを表示する。次に、ユーザは所望のメニューアイテムをタッチし、それによりそれが選択される。代わりに、メニューが表示された後、指が所望のアイテムに対するメニューをスライドダウンし次に解き放されてアイテムが選択される。もう１つの限定されない実施例において、上記ストリップスワイプは、伝統的なスクロールバーを操作するために使用され、それによりディスプレイ上の情報が移動の方向とは反対にスクロールされる。
【００８２】
７．２本指による非平面ピンチ
図２２は、２本指による非平面ピンチを図示し、それは１本または２本の手を用いて実行される。２本の手がスクリーン上に置かれた場合は、それらの距離が入力手段となる。この限定されない実施例において、もし上記距離がより小さくなるならば、マップアプリケーションは縮小（ズームアウト）される一方で、もし上記距離がより大きくなるならば、それは拡大（ズームイン）されるであろう。このピンチは、フラットでないスクリーン上で発生し、それ故に接触の点での通常の平面と比較して３次元の軌道を追従するために１つのまたは複数の指を必要とする。
【００８３】
８．３本指による非平面ピンチ
３本指による非平面ピンチは、３本指がディスプレイの表面上に置かれることを必要とするということを除き、２本指による非平面ピンチと類似している。この限定されない実施例において、３本指による非平面ピンチは、ディスプレイ上の複数のオブジェクトを選択するために使用される。
【００８４】
９．ピンアンドスワイプ（固定しスワイプする）
図２３は、１本指をディスプレイ上に置きかつ保持する一方で、他方によりスワイプジェスチャを実行する、２本指によるおよびオプション的に２本の手による入力技術を図示する。グラフィックス情報が指により押下される場所に保持されるということがメタファであるならば、これにより、限定されない実施例において、コンテンツがスクロールよりむしろ拡大されてもよい。このジェスチャは、適当な位置に保持される他方の指と比較して１本の指だけを移動するという点でピンチジェスチャとは異なる。
【００８５】
１０．ポイント（指示する）およびドラッグ
ポインティング動作は指をディスプレイ上に置くことであり、それにより、装置が上記ディスプレイ上の上記指の位置を追跡する。指を移動させることなしに解き放す（リリースする）場合は、このことが結果としてクリック動作を生じさせ、それは、この限定されない実施例において、スクリーン上のコンテンツを選択させるか、テキスト挿入点を移動させるか、もしくはスクリーン上のボタンを押すための役目を果たしてもよい。スワイプに対する閾値以下である距離または速度範囲内で指を解き放すことなしに移動させる場合は、これによりシステムにドラッグを実行させる。この限定されない実施例において、ドラッグにより、指の場所を追跡するためにディスプレイをタッチすると同時に指の真下にあるグラフィックオブジェクトが移動する。解き放すと同時に、上記オブジェクトはさらなる移動から解放される。ポインティングは、複数の指を用いて発生してもよく、解釈（インタープリテーション）はアプリケーションのコンテキストに依存してもよい。
【００８６】
１１．タップ
図１４は、湾曲されたディスプレイ表面をタップするユーザを図示する。設定時間内のタップの数は、装置への入力としての役目を果たしてもよい。
【００８７】
１２．デフォーム（変形させる）
ある実施形態において、容器の表面は指を押すと同時に変形してもよい。離すと同時に、これは、場所が装置の表面上の３つのコンタクトマイクロフォンを用いて三角測量されるクリッキング動作を引き起す。これは、上記装置上で実行するコンピュータプログラムへの入力としての役目を果たしてもよい。
【００８８】
１３．ボタン押し
スクリーンにより占有されない装置表面領域は、上記装置上で実行するコンピュータプログラムへの入力の目的のために複数のボタンを含んでもよい。上記複数のボタンは入力として役目を果たすために押されて、または離される。
【００８９】
１４．ラブ（擦ること）
図２４は、ラビングジェスチャを図示し、それは鈍らされた正弦曲線の空間的なパタンで、指または手を装置上に前後して移動させることにより実行される。限定されない実施例において、このジェスチャは、スクリーン上のグラフィックコンテンツを消去し、または選択をキャンセルするための役目を果たす。もう１つの実施形態において、ラブはドキュメントをセーブするために使用される。
【００９０】
１５．タイプ
ある実施形態において、ディスプレイはある接続により結びつけられたキーボードを有してもよい。キーボード入力は、装置上で実行する現在のソフトウェアプログラムに提供される。もう１つの実施形態において、上記キーボードは、非平面ディスプレイの表面上に表示されたソフトキーボードである。上記キーボードは、複数のレイアウトを変えることを特徴付けてもよい。複数のユーザは、ソフトウェアキーボード上のタイピングにより複数のキーをアクティブにすることができ、または入力のシャーク法（非特許文献１）に従って、複数の語を構成するスクリーン上の複数のキー間のスワイピングにより上記複数の語を選択することができる。上記複数のキーボードは、それらがフラットな表面上にレイアウトされていないが、表面の形状に追従するという点において異なる。
【００９１】
１６．ダイアル
ダイアルは、円筒状に湾曲されたディスプレイ表面の複数の先端での円領域上に配置されてもよい。このダイアルのより好ましい実施形態はトラックパッドである。ディスプレイ表面上の指の回転のジェスチャは、ダイアル動作を制御してもよい。１つの限定されない実施例において、上記動作は、回転するジェスチャを提供する実施例に類似する点において、スクリーン上の情報を通じてスクロールするための役目を果たす。もう１つにおいて、これは、ストリップスワイプを提供する実施例と類似する点において、メニューを通じてスクロールするための役目を果たす。
【００９２】
１７．傾ける（チルト）
図２５には、コンテンツを移動させるための入力技術として装置を傾けることがどのように用いられるかが図示される。限定されない実施例において、傾斜（チルト）角はビデオの再生速度を制御する。
【００９３】
１８．フリックまたはトス
急速に傾けて、止めて、オプション的に元の方位に戻すことにより、複数のユーザはスクリーン上の情報を操作することができる。限定されない実施例において、複数のユーザは、ページターンをこのジェスチャを用いて実行し、もしくは隣接した装置へと情報をコピーすることができる。
【００９４】
（留意：残りの複数のインタラクション技術は、食品または飲料容器の実施形態に特定される。）
１９．停止（レスト）
タッチされることなく、すべての流動体コンテンツ（内容物）が残っているレベルを有して停止している容器を表面に置くことの動作は、入力としての役目を果たしてもよい。この限定されない実施例において、これは、設定時間閾値後に装置をスリープさせるために使用される。もう１つにおいて、それは、上記容器内部の停止した流動体レベルもしくは容積を通信させるための役目を果たすことができる。
【００９５】
２０．飲むこと（ドリンキング）、注入すること（フィリング）および流動体レベル
容器を口に持っていくこと、容器から飲料を飲むこと、容器に注入すること、またはその中の液体のレベルを変更することの動作は、入力としての役目を果たすことができる。この限定されない実施例において、これは、あなたのオンラインステータスを他人へ通信
するための役目を果たし、それを飲むことに設定して、消費される飲料のタイプを通信することができる。複数のユーザが飲むことを止める場合は、彼らのオンラインステータスはそのデフォルト状態へと戻る。もう１つの限定されない実施例において、飲料のレベルはまた、オンラインステータスとして、または装置のスクリーン上に報告される。上記レベルはまた、スクリーン上の情報を制御するための手段としての役目を果たすことができる。
【００９６】
２１．蓋のステータス：開閉される
容器を開閉することは、入力として機能することができる。この限定されない実施例において、そのような入力は、スクリーン上のグラフィック効果および／またはサウンド効果を生じさせるための役目を果たす。例えば、容器を開くことは、プラグの差込口（ジャック）をスクリーン上のボックスから飛び立たせてもよい。もう１つの限定されない実施例において、蓋のステータスはアラームとしての役目を果たし、上記蓋が正確に閉じられてなかったり、または流動体がこぼれているかもしれない場合にユーザに知らされてもよい。
【００９７】
２２．タッチ／ピックアップ（手に取る）
任意の接触の点で容器をタッチすること、および／または残っている状態から容器をピックアップすることは、入力としての役目を果たしてもよい。この限定されない実施例において、それは、スリープからシステムを起すための役目を果たす。もう１つにおいて、それは、あなたのオンラインステータスを“オンライン”または“利用可能な”へと設定するための役目を果たす。
【００９８】
２３．振ること（シェイク）
容器を振ることは、入力としての役目を果たしてもよい。限定されない実施例において、それは、もし上記前のステップがかき回すことを含んだならば、複数のドリンクを準備するためのレシピにおける次のステップへと進ませるための役目を果たす。
２４．設置する（プレイス）
例えばその波止場または補給ステーション内などの特定の場所に飲料容器を設置することは、入力としての役目を果たしてもよい。限定されない実施例において、上記波止場またはステーションはその複数のバッテリを充電するために装置に接続され、情報を転送するためにその有線のまたは無線のネットワークコネクタに接続（コネクト）される。
【００９９】
２５．複数の装置の衝突（マルチデバイスバンプ）
２つの容器を物理的に衝突させることは、それらのネットワークを接続して、上記複数の容器間で情報を通信するための役目を果たしてもよい。この限定されない実施例において、複数の容器は、物理的に２つの容器を衝突させると同時に飲料コンテンツ、複数のレシピまたはコンタクト情報（連絡先）に関する情報を交換する。もう１つの限定されない実施例において、この動作は、例えばフェースブック上で彼らと友人になることなどの社会的なネットワーキングソフトウェアを介して複数のユーザを接続させるための役目を果たすことができる。
【０１００】
２６．マルチデバイスポア
１つの容器が、もう１つの容器の上方に保持されて傾けられる。そのような動作は、トップの容器からボトムの容器へと情報を転送し、もしくはコピーするための役目を果たすことができる。この限定されない実施例において、現在選択されたファイルまたはオブジェクトは、第１の容器から第２の容器へと転送される。
【０１０１】
２７．轟音（ランブル）
本体の動きを通じてそれを充電する特定の目的で容器を振ること。
２８．指紋スキャニング
ユーザまたは使用を認証する目的で、指紋プリントリーダが配置された容器の領域上へと指紋を置くこと。
２９．顔検出
上記容器の上記ユーザまたは使用を認証するために容器上に配置されたカメラを用いて、ユーザの顔を識別すること。
【０１０２】
複数の操作
上述した複数のインタラクション技術は、上記電子食品もしくは飲料容器、または上記湾曲されたディスプレイと関連しまたは配置されたコンピュータにより実行された任意の操作に適用される。そのような複数の操作は、リアルタイム方法で湾曲されたディスプレイの状態に影響を及ぼしてもよい。以下のリストは、複数のインタラクション技術が所望の操作を実行するために結合されてもよいという限定されない実施例の複数の方法を提供する。そのような複数の組み合わせは、インタラクション技術からのコンピュータによる結果が、共起を通じて同時に起こされたもう１つの複数のインタラクション技術セットの結果に依存してもよいという点で、コンテキスト意識性の制限されたローカル（局所）フォームを構成する。特に、上述した複数のインタラクション技術のいずれかが、以下の限定されない複数のコンピュータの動作のリストの選択を操作するための役目を果たしてもよい。すなわち、
１．アクティブにする
スリープからコンピュータを起すこと、ディスプレイもしくはコンピュテーションもしくはディスプレイ上のウィンドウをアクティブにすること。
２．選択する（セレクト）
スクリーン上のグラフィックオブジェクトを選択すること。
３．コピーペースト
スクリーン上のグラフィックオブジェクトまたは情報をコピーし、それを異なる場所にペーストすること。
４．スクロール
ユーザに対して現在目に見えない情報の姿を現させるために情報をスクリーン上を移動させること。
５．ドラッグ
スクリーン上のオブジェクトまたは情報をスクリーン上の１つの場所からもう１つの場所へと移動させること。
６．ブラウズ／ナビゲート
コンテンツを調べるためにビューアを開くこと。この限定されない実施例において、コンテンツはウェブページである。ナビゲーションは、ブラウザ履歴における複数のページ間、またはドキュメント内の複数のページ間を前後に移動する場合に発生する。
７．メニュー
選択された場合、他の複数の動作をトリガする複数のオプションのリストを表示すること。
８．プレイサウンド
サウンドまたは音楽をプレイすること。
９．スタートアプリケーション
コンピュータアプリケーションを開始すること。
１０．複数の空間（複数のビューを表示する）
表示している複数のオフスクリーングラフィックス環境間を移動させること。
１１．リサイズ（サイズを変更する）／スケール（拡大縮小する）
スクリーン上の情報を拡大または縮小すること。
１２．共有する（シェア）
限定されない実施例において、あなたのオンラインソーシャルネットワークにおいて、他人と情報を共有すること。
１３．オープン（開く）、セーブ（保存する）およびクローズ（閉じる）
上記スクリーン上で読むためにドキュメントを開くこと、またはそれを閉じること。その現在の状態におけるドキュメントを保存すること。
１４．通信する（コミュニィケイト）
ビデオ会議、電話、テキストメッセージもしくは電子メールすること、または上記装置への接続を開くこと。
１５．接続する（コネクト）
ネットワーク、または他の容器へ接続すること。
１６．ソーシャルネットワーク
ユーザのソーシャルネットワークまたはオンラインステータスを接続し、もしくは変更すること、または容器コンテンツを他人へ、もしくは他の複数の容器へ通信すること。
１７．注文する（オーダ）
無線ネットワークを介して複数のドリンクを注文すること、または予め注文すること。
１８．認証する
例えば指紋または顔検出によるアイデンティティ（同一性）の検証と同時に容器上のデジタルコンテンツへのアクセスを可能とすること。ユーザに基づくコンテンツのコンテキスト付けまたは識別されたユーザに基づく親の複数の制御設定もしくはパーソナル化の自動的な動作を含む。
【０１０３】
装置
図１５は、電子食品または飲料容器のより好ましい実施形態を図示する。この実施形態において、飲料または食品容器は、４つの構成要素から成る。第１の構成要素は、ドリンクの蓋であって、２つの共通の構成要素の頂上に適合する（２０１）。第２の構成要素は、上記容器（２０２）の外側のまわりに巻きつけられたインタラクティブディスプレイおよびタッチ入力技術を有する実際の容器から成る。第３の構成要素は、セクション３のもとで詳細説明されたコンピュータ、ネットワークおよび電源装置を含む共通の要素（２０３）である。ある実施形態において、上記２つの構成要素は、便宜上１つのユニットにまとめられる。第４の、オプション的な構成要素は、例えば充電器およびネットワーク接続としての役目を果たすことができるアクセサリドック（２０４）である。その好ましい実施形態において、装置は以下の限定されない複数の要素のリストから構成される。すなわち、
１．複数のセンサ
容器は、コンテンツ測定、場所センシングおよび近接センシングおよび高度センシングなどに加えて、複数のインタラクション技術の上記のリストから選択された複数のインタラクションのセンシングを可能とする複数のセンサを含む。ある実施形態において、上記複数のセンサまたは複数のセンサのサブ選択がカスタマイズ可能な蓋の構成要素の中に含まれる（以下のセクション２参照）。もう１つの実施形態において、それらは、その複数のコンテンツの複数のプロパティをサンプリングすることができる実際の容器の内部にオプション的に設置されている複数のセンサを有する共通の複数の構成要素の１つの範囲内に含まれる。
【０１０４】
複数のセンサが、以下の（限定されない）グループから選択される。当該グループは以下から構成され、すなわち、
１．６軸加速度計
２．（非平面の）マルチタッチスクリーン
３．容量タッチセンサ
４．電気皮膚コンダクタ
５．アルファダイアル
６．カメラ：ビデオとスチル
７．湿度計
８．液体レベルセンサ
９．電位差液体化学センサ
１０．高度計
１１．温度計
１２．力センサ
１３．圧力センサ
１４．マイクロフォン
１５．スピーカ
１６．ＧＰＳ
１７．複数のリレー
１８．複数のボタン
１９．光電子センサ
２０．近接センサ
２１．無線ネットワーク（ワイファイ（Ｗｉｆｉ）／ブルートゥース（Ｂｌｕｅｔｏｏｔｈ（登録商標））／ジグビー（ＺｉｇＢｅｅ））
２２．ランブル充電器と複数のドッキング電極
２３．ＲＦＩＤ支払いシステム
２４．ＲＦＩＤ
２５．有線のネットワークコネクタ
２６．バッテリリチャージングコネクタ
２７．オーディオ視覚コネクタ
【０１０５】
１．カスタマイズ可能なドリンク蓋
その好ましい実施形態において、ドリンク蓋構成要素（２０１）は、十分にカスタマイズ可能で、複数の使用間で交換可能である。上記構成要素により、図１６および図１７に図示されたように、複数のフォームファクタおよびマーケティングコンテンツまたはブランド化の差別化を可能とする。ドリンクの蓋に対する複数のフォームファクタは、これらには限定されないが、複数のウォータボトルトップ（３０２、４０１）、複数のハンドル付きのカップの蓋（３０５、４０４）、複数の子供たちのもしくは乳児ボトルトップ（３０４、４０９）、複数のスポーツボトルトップ（３０３、４０２）などを含む。上記構成要素はまた、これらには限定されないが、水の浄化システム、紫外線光ろ過、炭素ろ過、化学のもしくは有機のコンテンツ分析器またはバクテリアコンテンツ分析器、増幅もしくはスピーカシステム、コンパスもしくはＧＰＳ、複数のフィットネス機器インターフェース、ＲＦＩＤタグおよび１のセンサのもとでのこの特許において提供されたリストからのありとあらゆるセンサから構成されるリストから選択された特別化された複数のアクセサリ、複数のセンサおよび複数の追加物を含んでもよい。ドリンクの蓋におけるＲＦＩＤタグは、ドリングの蓋のタイプが現在使用されている他の複数の構成要素に対して識別するために使用されてもよい。
【０１０６】
２．インタラクティブディスプレイ／容器構成要素
図１５は、その好ましい実施形態における発明を図示する。容器に関する中心の特徴は、容器（２０２）をカバーする、もしくは部分的にカバーする非平面ディスプレイである。この限定されない実施例において、上記ディスプレイは円筒型の容器フォームファクタの外周のまわりを巻きつけられる。上記ディスプレイ技術は、以下のうちの１つには限定されないが以下から選択される。すなわち、フレキシブル電子インク、フレキシブル有機発光ダイオード、フレキシブルＬＥＤの複数のアレイ、外部の光源による投影、ペイント可能なディスプレイおよび他の非平面ディスプレイ技術。すべてのインタラクション技術は、組み込まれた非平面のマルチタッチ入力技術を通じて上記非平面ディスプレイの任意の側面上で操作される。私たちの好ましい実施形態において、上記ディスプレイは、上記ディスプレイの複数のセグメント（断片）を分離している目に見えるベゼルがまったく存在しないように囲むように巻きつけられる。もう１つの実施形態において、容器の一部は平坦化され（２０２）、この領域は主なインタラクション領域として機能する。もう１つの実施形態において、平坦化されたゾーンだけが、複数のタッチ能力を有する。
【０１０７】
ある実施形態において、容器のディスプレイは、個人のもしくは共有された複数のスクリーンセーバまたは複数の背景を用いてカスタマイズ化され、それはユーザに対して容器をパーソナル化するための役目を果たす。もう１つの実施形態において、上記複数のスクリーンセーバまたは複数の背景は、食品もしくは飲料の複数の製造業者によるマッケティングマテリアルとして、または複数の第三者による広告としての役目を果たす。もう１つの実施形態において、食品または飲料容器は、ドリンクのもしくは食品消費行動、曜日もしくは時間、高度、加速度、複数のＧＰＳ座標、カスタマイズ化された蓋の共通の構成要素による検出または装置によって検知されもしくは装置に提供される任意の他のコンテキストの情報には限定されないがこれらを含む使用の複数のパタンを検出することによってそのディスプレイのパーソナル化を自動的に変更してもよい。ディスプレイのコンテキスト化はまた、上記ディスプレイ上に提示された初期の機能性に関連してもよい。例えば、上記ディスプレイがコンパス機能性を用いてカスタマイズ化されたハイキング蓋を検知する場合は、それは、上記アクティビティ（活動）に関連するそのディスプレイ上の複数のアプリケーションアイコンを自動的に表示されてもよい。それが乳児ボトルトップを検知する場合は、それは、その年齢カテゴリもしくはタスクに関連した機能性もしくはコンテンツへと自動的に切り替えてもよい。それは電気皮膚応答センサもしくは他の手段により気分の変化を検知する場合は、それは、装置上でプレイされた表示もしくは音楽を上記気分に合うように変えてもよい。ある実施形態において、複数のユーザがインターネット接続によりアプリケーションコンテンツ、商品、メディアもしくはソフトウェアを購入することを可能とさせるアプリケーションストアがディスプレイ上に提供される。
【０１０８】
３．コンピュータ、ネットワークおよび電源構成要素
図１５は、以下のリストには限定されないが、バッテリ、電源コネクタ、ネットワークコネクタ、視聴覚コネクタ、ｃｐｕおよびグラフィックスの回路基板、ＲＡＭメモリおよびファームウェアＲＯＭ、フラッシュまたはハードディスクドライブ、複数の加速度計、ワイファイ（ｗｉｆｉ）／ブルートゥース（ｂｌｕｅｔｏｏｔｈ（登録商標））／３Ｇ／４Ｇ無線ネットワークアダプタ、安全な支払いシステムチップ、ＲＦＩＤタグおよびカメラのリストから選択された、その好ましい実施形態におけるハードウェアコンピューティング装置を含む中心の構成要素のボトム部分（２０３）を図示する。
【０１０９】
４．アクセサリベース
図１５はまた、第４のかつオプション的な構成要素で上記ユニットがその複数のバッテリ（２０４）を再充電することを可能とするベースを図示する。ある実施形態において、上記ベースは、上記容器のコンテンツを再加熱または熱さを保つために加熱する要素を含んでもよい。もう１つにおいて、上記ベースは、ネットワークコネクタを含み、上記容器をイーサネット（登録商標）または他のそのようなネットワーク接続により接続することを可能としてもよい。
【０１１０】
５．製品補給ステーション
ある実施形態において、上記発明は、コンパチ可能な（互換性のある）補給ステーションを必要とする。この補給ステーションは、補給ステーション上に上記製品容器を置くと同時に上記製品容器と通信し、それをドッキングと呼ぶ。補給ステーションは、容器とドッキングすると同時に、補給手順の継続期間の間に上記容器の複数のバッテリの再充電を開始してもよい。補給ステーションは、ドッキングと同時に、有線のまたは無線の接続によりソフトウェア、料金受信人払いの支払いデータ、使用データまたはユーザデータをアップグレードしてもよい。もう１つの実施形態において、容器は手動で注入される。この場合は、容器の内部の液体化学センサが、容器の複数のコンテンツを検知してもよく、または注文された複数の注文もしくは複数のレシピの履歴が、容器のメモリチップ内に自動的に登録されてもよい。代わりに、ディスペンサまたは調達人のコンピュータシステムが、そのような情報を容器へ通信してもよい。代わりに、補給ステーションにより販売された複数のドリンクは自動的に、メモリ内で識別されて保持される。
【０１１１】
ある実施形態において、ユーザは、容器との複数のインタラクションにより複数のコンテンツを選択し、予め注文する。上記容器上の注文ボタンを押すと同時に、上記注文はデジタル的に調達人に通信され、次に当該調達人は複数のドリンク準備品のそのラインアップを準備するためにこの情報を使用する。もう１つの実施形態において、複数の飲料が、注入ステーションのディスプレイ上で選択されてもよい。ある実施形態において、容器のディスプレイは、最も近い注入ステーションもしくは調達人の場所を指し示し、および／または容器のディスプレイ上で上記ステーションへの方向をユーザに提供するオンラインマッピングソフトウェアを使用してもよい。注文の標的（ターゲット）は、マップから、またはリストから、またはコンテキスト的に提供されたある近接の範囲内の複数の調達人のリストから、調達人を選択することにより決定されてもよい。代わりに、上記注文は自動的に最も近い調達人に送られてもよい。複数のドリンクの注文は、スクリーン上でボタンを押すと同時に、または補給ステーションの中に容器を置くと同時に上記注入ステーションへと通信される。
【０１１２】
ある実施形態において、飲料の支払いは、オンラインシステムにより管理され、それのユーザインターフェースが容器上に提供されている。もう１つの実施形態において、容器はこの目的のために組み込まれたＲＦＩＤ支払いシステムを含み、それは容器をドッキングすると同時に読み込まれる。ある実施形態において、支払いには、注文の製造および配達において使用された複数の資源の気候への影響を無効化することを目的とされた複数の炭素オフセットクレジットの自動化された購入を含む。オンラインシステムは、複数の材料、注文を獲得するために移動された距離および上記複数の材料によって移動された距離などに基づいた正確な炭素放出を計算するために使用されてもよい。
【０１１３】
複数のドリンクの注文は、利用可能な複数の飲料のリストから選択されてもよいし、もしくはパーソナル化された混合物（ミックス）が他人と共有されるオンラインレシピのリストから複数の材料および複数の量を選択することにより作られてもよい。人気のある複数の混合物のリストが、彼らの容器から何かを飲んでいる人と通信するために、ソーシャルネットワーキングの目的のためにオンラインシステムと通信されてもよい。複数のドリンクは、他人により消費された人気のある複数のドリンクのリストからそれらを選択することにより、または複数の有名人もしくは複数の友人の複数のリストから選択することにより購入されてもよい。
【０１１４】
ある実施形態において、ドリンク容量（ボリューム）が、リストから容量を選択することにより選択され、もう１つにおいて、もし上記量により上記容器がいっぱいとならないならば、リストから金額をタイプするかもしくは選択することにより、選択される。
【０１１５】
ある実施形態において、補給すると同時に、ステーションは最初に複数の高圧洗浄液を用いて飲料容器をクリーニングする。クリーニング周期は、選択された飲料で容器を注入する前にすすぎ洗いを含んでもよい。この効果には、容器のボトムは、複数のクリーニング液体がクリーニングサイクルを完了すると同時に洗い流すことができるバルブを保持してもよい。クリーニング液体の使用のオプション的な限定されない代わりとなるものは、注入する前の容器を消毒するための紫外線光の使用である。バルブの使用に対するもう１つの限定されない代わりとなるものは、マシンがクリーニングの後に容器を傾けてそれを空にすること、もしくはユーザに容器を持ち上げてそれを指定された領域においてそれを空にすることを要求することである。もう１つの実施形態において、ユーザは、カフェもしくはバーの中に設置された特別なステーションにおいて彼のもしくは彼女の複数の容器のうちの１つをクリーニングのために置き忘れる。このシナリオにおいて、上記ユーザは、上記注文を獲得すると同時に新鮮な飲料もしくは食品で満たされたもう１つの容器を手に取るためのクレジットを受けとる。上記第２の容器は、誰か他の人により使用されていてもよいし、もしくはユーザにより所有されていてもよい。後者の場合は、ＲＦＩＤ認識により自動化されたシステムは、複数の容器の所有者の経過をたどる。新しい容器を手に取ると同時に、すべての個人情報が自動的に、ネットワークを介して新しい容器へと転送される。代わりに、装置のすべてのロジックおよびメモリを含む構成要素３が、クリーニング施設内に容器ユニットを置くと同時に取り外される。
【０１１６】
注入の進展が容器のディスプレイ上のアニメーションにより表示され、聴覚進展インジケータを伴ってもよい。注入処理の完了と同時に、容器は、聴覚のもしくは視覚の手段によりユーザと通信してもよい。ディスプレイ、または当該ディスプレイの一部が、容器が保持しているドリンクのための、もしくは第三者の複数の広告による情報および広告を用いてブランド化されてもよい。上記複数の広告は、テキスト、複数の画像および複数の動く画像を含んでもよい。例えば、上記ドリンク購入と関連する複数のゲーム、複数のくじ引き、複数の広告もしくは複数の販売促進などの複数の販売促進アプリケーションコンテンツが、上記ドリンク購入と同時に、もしくはドッキングと同時に上記容器へとダウンロードされてもよい。
【０１１７】
実施例４
インタラクティブ食品および飲料容器により提供された機能性から恩恵を受けるであろう多くの使用シナリオが存在する。この実施例は、上記容器のいくつかのアプリケーションにハイライトをあてる。
４．１．朝の混雑時間／ニューステーマ
この限定されない実施例において、容器は、一杯のコーヒーを楽しみながら朝のニュースを読むために使用される。ここで、ユーザは持ち帰り用のコーヒーを準備するために朝起床する。彼は、彼の容器（４０７）を手に取る時、そのディスプレイが起きて自動的に現在の場所に対する今日の天気予報を彼に示す。ユーザは注文アイコンをタップして、彼の現在の場所に基づきユーザが彼のまたは彼女自身のコーヒーを調合したいということを決定するアプリケーションを起動させる。それは、フルに自動化されたパーソナル化された調合マシンであるコーヒーマシンのためのメニューを提示する。利用可能な複数の熱い飲み物から選択した後、ユーザは、無線ネットワークによりコーヒーメーカーへと通信されるスクリーン上の注文ボタンをタップする。コーヒーメーカーは、選択された飲料の調合を開始する一方で、ユーザはシャワーの下にいる。彼は降りると、コーヒーメーカーへと歩きドリップの真下に彼の容器をドッキングさせる。コーヒーメーカーは容器を満たす。容器は、満たされていくそれのアニメーションを示す。代わりに、ユーザは、調合する前に容器をコーヒーメーカーの中に置く。代わりに、ユーザは簡単に調合し彼の手で作り出されたコーヒーを容器の中に注ぐ。ある実施形態において、容器は、それが聴覚のまたは視覚の警告によりいっぱいであることを指し示す。ユーザは、それがいっぱいになった後に彼の容器を手に取り、彼の車へと歩く。彼は、交通渋滞にぶつかり、彼のお気に入りの複数のニュースフィード（４１６）を読むためにＲＳＳアイコンをタップする。ニュースリーダアプリケーションが起動し、彼に複数のフィードのリストを提供する。ユーザは、リンクをタップした後に表示される朝のニュースを読むことを決定する。複数のリンクの１つが、今日のニュースキャストのビデオフィードを提供する。ユーザは、それをタップするとビデオフィードが容器のスクリーン上に表示される。次の停止において、ユーザは、次の記事を開くために彼の容器をフリックする。彼はコーヒーを飲み終えると、彼は再び動かなくなっていることに気付き、飲料容器を両方の手でそれを保持しながら９０度回転させる。ユーザは、彼が飲料容器上いっぱいのスクリーンで朝のニュースの記事を読むにつれて容器を回転させる。ユーザは、円形の表面ディスプレイを十分に用いてボトム（底）がつくまでディスプレイを回転させ続けることができ、それによりユーザが容器をフルに３６０度回転させた場合でさえも新しい情報をスクロールし提供し続ける。
【０１１８】
ユーザが運転をし続ける場合は、彼は彼の容器をカップホルダの中に置く。容器はいま、容器のメモリチップもしくはハードドライブ内に保持されたメディアを用いて、およびカップホルダの中の容器から物理的な接続により車のステレオへとストリーム化された視聴覚情報を用いて、車の視聴覚機器へのインターフェースになる。ディスプレイはまた、その環境に調和するために、車のインテリアの外観または審美眼を呈する。カップホルダの中における回転により、ラジオ上のステーションが選曲され、もしくは容器上でプレイするリスト内の次のｍｐ３へとスキップされる。ガソリンスタンドで停止するとき、容器は、任意の複数の自動化された炭素オフセット購入を含んだガソリンの購入を完了するために使用される。彼の車のガソリンタンクが満タンとなった後、ユーザは自動的に、彼の購入に対して複数のポイントおよび／または複数のクーポンによる見返りが与えられる一方で、容器はアップデートされ、ガソリンが充てんされる間に獲得されたマイレージの経過をたどる。
【０１１９】
代わりに、容器は、複数のナビゲーションサービスを提供するのみならず、公共輸送へのアクセスを取得してルート情報および時刻表情報並びに計画をダウンロードするために公共の輸送の設定において通勤者により使用されてもよい。このコンテキストにおいて、容器はまた、選択された公共の輸送システムの見積もられた到着時間を提供するために使用されてもよい。
【０１２０】
４．２．健康／ダイエットテーマ
この限定されない実施例において、容器（４０２）は、１日あたりのユーザのカロリーもしくは材料摂取の経過をたどる。ドリンクもしくは食品アイテムを選択すると同時に、ユーザは、複数の材料、栄養値、および例えば材料が購入された農場などの複数のソーシング（産地）についてのオンライン情報を提供するブラウザが提供される。それはまた、特定の材料またはドリンクが生産されるために消費された二酸化炭素についての情報と、どれほどの距離それが移動されてきたかについての情報を提供し、そのような炭素摂取を補償するためのユーザインターフェースを提供してもよい。その日のバジェットに対して、設定したカロリー、糖、金額的な、流動体もしくはカフェイン閾値にたどり着くと同時に、ユーザは、注文を進めるかどうか、次の日のバジェットから摂取を差し引くかどうかに関して警告されてもよい。容器は、１日あたりのユーザのドリンキングパタンを追跡し、消費された複数の流動体の容量、いつ何のドリンクが消費されたかに関する情報を提供する。ユーザは、時間ごと、日ごと、週ごと、月ごと、もしくは年ごとの基準での彼のもしくは彼女の摂取の統計を、この目的のために提供されたユーザインターフェースによりブラウズしてもよく、他人にこの情報を共有するために選択してもよい。今日の天気または温度に対して十分な水和物を得ていない場合は、容器はまた、ユーザに警告してもよい。ユーザはジムに入ると、容器はジムの会員番号を入り口のシステムへと通信する。ユーザは、フィットネスマシンを使用する場合は、上記フィットネスマシン上のカップホルダが、充電ステーションおよび容器へのコンピューティングまたはネットワークインターフェースとしての役目を果たす。これにより、容器は上記フィットネスマシンに接続され、それがフィットネスルーティンの間に費やされた取り組みを追跡し、進展もしくはトレーニングスケジュール（４１１）に関する統計を提供することを可能とする。もう１つの実施形態において、容器は、コーチとしての役目を果たして、上記フィットネスマシンにより提供された情報によりコンテキスト化された一連のフィットネスルーティンによりユーザをステップさせる。もう１つの実施形態において、容器は、２つまたはそれ以上のユーザが彼らのフィットネスアクティビティにおいてお互いに競争することを可能とするために、上記フィットネスマシン、または同じフィットネスセンターもしくは離れたフィットネスセンターのいずれかにおける他の複数のフィットネスマシンとインタラクトするゲーム用のもしくはレース用のコンテンツを提供する。もう１つの実施形態において、複数のランナーが複数の容器の（アドホック）無線ネットワークにより提供された情報を通じてお互いに競争することができる。
【０１２１】
４．３．ソーシャルネットワーク／有名人テーマ
この限定されない実施例において、ユーザは、彼の複数の友人、または複数の有名人により消費されたお気に入りのもののオンラインリストから選択することにより彼の食品または飲料を選択する。このリストは、例えばフェースブックなどのオンラインソーシャルネットワーキングサイトを用いて同期化もしくはオンラインソーシャルネットワーキングサイトにより提供されてもよいし、もしくはされなくてもよい。ユーザは、ドリンクを選択するときはいつでも、彼のまたは彼女のオンラインプロファイルは、最近のドリンク選択を用いてアップデートされ、彼の最も人気のある複数の選択が、集計され、かつ彼の複数の友人に利用可能とされる。
【０１２２】
４．４．ミキシング（混合）テーマ
この限定されない実施例において、ユーザは、利用可能な複数の材料のリストから彼の食品または飲料のための複数の材料を選択する。まず最初に、ユーザは、マップから彼のドリンクを獲得するための場所を選択し、または彼の複数のＧＰＳ座標により提供された最も近い場所を簡単に選択する。ある実施形態において、上記場所において、例えばクローバ（Ｃｌｅｖｅｒ）コーヒーメーカー、または冷たい複数の飲料もしくは複数の食品アイテムのための同様の自動化されたマシンなどの特別化されたフルに自動化された飲料ミキシングマシンが利用可能である。このマシンは、容器が無線インターネット接続を介して接続するオンラインインターフェースを有する。上記容器は、あのマシンに対してあの場所において利用可能な複数の材料をリストアップする。ユーザは、例えば８０％の炭酸水、１０％のコーヒーシロップ、および１０％のコカコーラエクストラクトなどのリストから複数の材料を選択する。飲料のための注文を発行すると同時にマシンに上記注文が知らされ、上記注文は一列に（インラインで）処理される。ディスペンサの中に飲料容器を置くと同時に、上記容器の中に分配されるときにはすでにドリンクは混合されている。同一のシナリオが、例えば麺類などの食品の複数の注文に適用されてもよく、それは複数の飲料と同様の方法で選択されて処理されて分配されてもよい。
【０１２３】
４．５．運動／ハイキングテーマ
この限定されない実施例において、容器は、それをジョキング、ハイキングもしくは他のフォームの運動アクティビティに持っていくためにベルト上に引っ掛けられ、または上記アクティビティの間水和物もしくは食品を提供するために自転車上のホルダーに置かれる（４０１）。ビルトインＧＰＳは、移動された距離を検知し、この情報をマッピングする。それはまた、燃焼されたカロリー、損失された流動体の数のある指示を提供するために複数のステップをカウントし、その情報は、健康／ダイエットの実施例において説明された摂取バジェットを変更するために使用されてもよい。代わりに、ユーザは、道を検索するためのツールとしてその複数のサービスを使用するために容器を手に取ってもよい。上記容器のキャップ上のコンパスが移動しながら複数の方向を提供してもよい一方で、ディスプレイはマップ上の複数の中間地点を選択するために使用される。代わりに、ルートが上記マップ上で予め決定され、複数のルートのオンラインデータベースからダウンロードされてもよい。複数のルートは、ソーシャルネットワーキングの実施例における複数のドリンクを選択するために説明されたのと同一の手段により、ソーシャルネットワークへと自動的に共有されてもよい。容器はまた、ユーザの高度を検知し、この情報を運動ルーチンの間に発揮された取り組みのトータル量をコンピュータで計算するために使用されてもよい。容器のドリンクの蓋は、ユーザが複数の渓流から飲料水を獲得するために容器を使用することを可能とする水消化フィルタ（４０１）を含んでもよい。複数のユーザは、ドリンク可能な複数の水源の複数の場所のリストを共有し、もしくはアップデータしてもよく、または上記容器は自動的に、そのようなリストを蓄積するために水の純度を分析し、および／もしくはユーザに上記水源（４１０）の安全性を知らせてもよい。
【０１２４】
４．６．メディアプレイヤテーマ
この限定されない実施例において、容器（４０４）は、ブラウズし、および／または音楽もしくは複数のビデオもしくはドリンクもしくは食品アウトレットにおいて利用可能とされる他のそのようなメディアを買うために使用さる。例えば、スターバックスコーヒー場所に入ると同時に、ユーザは、彼らの音楽カタログをブラウズするためのユーザインターフェースが提示され、飲料容器（４１３）上に提示されたユーザインターフェースにより複数のｍｐ３音楽ファイルもしくは複数のビデオを購入してもよい。より高いローカライゼーション（局在性）の特徴により、各食品アウトレットが唯一の選択または販売促進のアクティビティを持つことを可能とさせ、それらの複数のユーザのし好に対するメディアを提供する一方で、彼らにそのような複数の提供がなされるための場所へ来るように要求する。上記場所において現在プレイしている音楽もまた、容器上で提供される。スクリーンの無限のスクロール能力により、大きい複数のカタログが容易にブラウズされることを可能とする。
【０１２５】
４．７．キッズ／ゲームテーマ
ある実施形態において、容器のフォームファクタは、複数の乳児および若い子供たちのための再使用可能なボトルまたは混合（ブレンド）された食品容器として機能するために設計される（４０９）。容器は、容器を振ることにより上記複数のゲームへの入力を提供できるように、容器の内側の食品または飲料のレベルおよび物理学とインタラクトする複数のゲームとのユーザインターフェースを提供する。代わりに、容器内の液体または食品のレベルは、ゲームにおけるインセンティブとして機能し、子供は、上記食品アイテムまたはドリンクの飲食を終えること（フィニッシング）を励ますために、例えば複数のレベルへのアクセス、複数のポイントの得点、複数の視聴覚刺激物などの複数の報酬が提示される。例えば、ドリンクまたは食品アイテムのフィニッシングは、ゲームの次のレベルへと到達するための重要なステップであってもよく、特別な報酬がドリンクを飲み終えた後に与えられてもよい。複数のタイムアウトまたは複数の警告が、それで遊び続けることをよりもむしろ子供たちが彼らの食品またはドリンクの飲食を終えることを確実とするために使用されてもよい。この実施形態において、容器はまた、あるレベルに到達されたときにユーザに警告する自動化された測定装置として機能してもよい。食品または飲料容器はまた、例えばあなたのドリンク容器を用いてウォータファイトをシミュレーションするために、もしくはライトセイバーファイトを実行するために複数のテレビジョンスクリーンゲームへの入力装置として使用されてもよい。そのようなものとして、その複数の入力センサは、Ｗｉｉリモートに類似しているゲームコンソールに対する情報を提供するための役目を果たす。もう１つの実施形態において、両親は容器を彼らの子供のためのモニターとして使用できる。両親は、ＧＰＳなどに基づいて彼らの子供たちがどこにいるのか、彼らは彼らの飲料を消費しているのか、それとも複数の栄養物と水和物の必要な量を受け入れているのかを動的に（ダイナミックに）知るであろう。両親および子供たちはまた、彼らの容器を通信装置として使用することができる。同様に、子供たちは、プレイグランドおよびその向こう側にいる彼らの友人たちと通信するために容器を使用することができる。この無線通信サービスはまた、子供たちが彼らの飲料容器上で複数のゲームを一緒にプレイしているという複数の状況において使用される。子供たちは、学校の授業の間は教育的な装置として容器を使用できる。インタラクティブ教育的なコンテンツが、インストラクタ（指導者）により各生徒の容器に無線で送信される。親のまたは学校の複数の制御が、授業中に非教育的なアクティビィティをアクティブにしない（動作させない）ように設定される。
【０１２６】
４．８．レストラン／ドライブスルーテーマ
この限定されない実施例において、容器（４０６）は、ファーストフードレストランのドライブスルーもしくはウォークインにおいて複数のドリンクおよび／または複数の食品アイテムを注文するために使用される。ドライブスルーラインアップに到着すると同時に、ユーザに最も近い店舗（アウトレット）が表示される。容器が店舗で利用可能な複数の飲料および／または複数の食品アイテムのリストを表示する（４１５）と同時に、ユーザは店舗を選択する。ユーザは、一列で待ちながら彼の選択を行い、いま注文ボタンをタップする。これにより、注文と支払いが安全な無線のインターネット接続により店舗内部のオペレータに送信される。代わりに、支払いが、店舗のカウンター上にそれを置くと同時に容器の内部のＲＦＩＤ支払いシステムチップにより行われてもよい。ユーザは、スピーカシステムにより複数のアイテムを注文する任務（タスク）をスキップし、注文された複数のアイテムを受け取るために窓口へ直行することができる。代わりに、ユーザは車を駐車場に駐車すると同時に彼の注文を店舗へと送信し、カウンターに並ぶことなしに店舗の中に歩いて入ってもよい。アイテムがピックアップのための準備ができている場合は、このことが、彼のまたは彼女の飲料または食品容器上の警告を通じてユーザへと通信される。代わりに、サーバが彼のまたは彼女の容器からの信号によりレストラン内のユーザの場所を探して上記注文を運んでもよい。もう１つの実施形態において、レストランは、例えばティムホートンのロールアップザリムコンテストに類似した、販売促進の複数のゲームまたは複数のくじ引きを容器上へとアップロードしてもよい。複数のユーザは、賞品を手に入れる前に彼らの容器上でゲームをプレイすることが必要とされてもよいし、または店舗において食品もしくはドリンクを購入すると同時にフリーコンテンツ、複数のチケット、メディアなどが提供されてもよい。
【０１２７】
４．９．イベントテーマ
この限定されない実施例において、ユーザは彼の容器（４０５）をスポーツまたは音楽イベントに持ってくる。イベントに行く前に、ユーザは、彼の容器ディスプレイを用いて彼のまたは彼女のチケットを注文する。次に、容器は、安全なかつ物理的なチケット、もしくはシーズンパスとしての役目を果たす。ある実施形態において、ユーザは、指紋リーダ（４１８）上に指を置くことにより認証される。入り口に到着すると同時に、容器はＲＦＩＤ支払いチップまたはいくつかの他の安全な手段によりスキャニングされ、その後ユーザはイベントに入ることを許可される。オプション的に、上記イベントのデジタルプログラムは自動的に、入場と同時にダウンロードされる。ゲームの間は、ユーザは、ゲームもしくはコンサートの複数のハイライトを購入するため、またはイベントについての個人情報を記録するために容器上に提供されたユーザインターフェースを使用できる。入場後、容器は自動的に、必要に応じて彼のまたは彼女の席をユーザに直接案内することを提示する。ゲームまたはコンサートの間、シンクロナイズドチアリングを可能とするために画像内の１ピクセルの役目を果たす各容器を用いて、ある画像がスタジアム内のすべての複数の容器にわたって表示されると同時に、複数のユーザは、時間内の特定の瞬間において彼らの容器を持ち上げることを促されてもよい。ある実施形態において、スポーツの試合（４１４）における現在関連する選手のリアルタイムのもしくはアーカイブされた統計、情報、もしくは複数のビデオ画像へのインターフェースを提供してもよい。これは、例えば現在ボールを手に持っている選手であってもよい。休憩の間、複数のユーザは、彼らのお気に入りの選手が何の飲料を消費しているかについての情報を獲得してもよい。
【０１２８】
４．１０．エアライン（定期航空路）／旅行テーマ
この限定されない実施例において、ユーザは、彼のまたは彼女の定期航空路による旅行に彼のまたは彼女の容器を持ってくる。ユーザは、容器により複数の搭乗券を予め注文（予約）できる。ある実施形態において、ユーザは、指紋リーダ（４１８）上に指を置くことにより認証される。飛行機に乗り込むと同時に、容器はチケットの半券として役目を果たし、飛行機へのアクセスを提供する。容器のディスプレイまたはコンパスは、ユーザに、彼のまたは彼女の席への複数の方向を提供する。座ると同時に、ユーザは、彼のまたは彼女が食品サービスから利用可能な複数の食品を注文することを可能とするカスタマイズ化されたメニューから選択することができる。
【０１２９】
４．１１．テーマパークテーマ
この限定されない実施例において、ある家族がオーランドにあるディズニィテーマパークに行く。彼らはそれぞれ、オンラインシステムにより彼らの入場チケットに接続（リンク）されている彼らの飲料容器（４０３）を持ってくる。ある実施形態において、彼らがパークに入場するとき、各個人が指紋リーダ（４１８）上に指を置くことにより彼のまたは彼女の容器をログインする。彼らの容器内のＲＦＩＤタグは、家族が後の消費のために彼らのカップ上に多くの無料の食品引換券およびドリンク引換券を受信すると同時に、入場ゲートでスキャニングされて容器とチケットを識別する。彼らの入場の一部として、複数の家族メンバーはそれぞれ、ディズニィテーマパークロゴを用いてブランド化された新しい蓋を受信する。非常に彼らが楽しむことには、子供たちは彼らが飲料を消費するにつれて点灯するミッキーマウスの耳を有する蓋をその上に受信する。彼らの容器上に蓋を置くと同時に、容器の表皮（スキン）はイベントブラウザと乗物の予約インターフェースおよびいくつかの提案された複数の旅程を有するマップを含むディズニィテーマへと変更する。蓋におけるＧＰＳは、家族のメンバーのそれぞれがどこにいるのかを追跡し、複数の乗物間のルーティング（経路を定めること）を可能とする。メニューが急に飛び出して彼らに乗物がいつ利用可能であるかを知らせる（４１２）。彼らは時間を選択し、彼らの見物（訪問）を計画し続ける。マップは、各乗物のための待ち時間を用いてアップデートされる。午後１時に容器がビーッという音を出し、彼らの乗物が近づきつつあることが知らされる。しかしながら、キッズ（子供たち）の１人がいなくなっている。容器上のマップは、個人の場所を指し示し、家族はすぐに再編成する。乗物に乗り込むと同時に、予約が自動的に容器から読み込まれる。乗物に乗っている間に取られた写真が、乗物エリアから立ち去った後に容器上での購入のために提示される。家に帰ると同時に、容器は、彼らの訪問の長続きする記念品を提示する。すなわち、彼らはディズニィの蓋を装置の上に置くたびに、あの日に行われた旅程、複数のアクティビティ、ダイアリ（日程表）および複数の写真が複数の友人と共有するために現れる。
【０１３０】
４．１２．ベンディングマシン（自動販売機）テーマ
この限定されない実施例において、ユーザは、ベンディングマシンから飲料を得るためにこの容器（４０８）を使用する。最も近いベンディングマシンに接近すると同時に、ユーザが飲料を選択することを可能とするメニューが急に飛び出す。ユーザは、指定された指紋リーダ装置（４１８）上に指を置くことにより購入を認証される。彼の容器をカップホルダの上に置くと同時に、マシンは容器をすすぎ、その後に容器は選択されたものでいっぱいとされる。スクリーンは、それがいま含む（入っている）飲料のロゴを反映するために変化する。容器がいっぱいになるにつれて、アニメーションが進展を示す（４１７）。代わりに、待っている間、ユーザは飲料マシンにより容器上へとダウンロードされたメディアコンテンツにより楽しまされる。飲料のための料金は自動的に、容器上に配置されたＲＦＩＤ支払いシステムにより引き落とされる。ポイントシステムにより、再使用可能な容器を通じて行われた各購入に対してユーザに炭素クレジットまたはボトルリターンクレジットが与えられ、ユーザに使い捨ての複数の容器を必要としないことに対する見返りが与えられる。
【０１３１】
４．１３．オフィステーマ
この限定されない実施例において、ユーザは、朝の通勤の後、彼のカップを持って彼のオフィスに入り、カップを彼の充電器アクセサリの中に置く。容器は、それがいま仕事場に存在していることを認識し、例えば時計またはカレンダーなどの関連した複数のアプリケーションコンテンツを表示する。それはまた、最も近い複数のコーヒーメーカーに対するステータスを用いて、施設のマップを特徴付ける。１杯のコーヒータイムのときには、ユーザは、新鮮なコーヒーが入っている最も近いコーヒーメーカーへと案内される。デスクに戻った後、ユーザは、晩の通勤の間に読むためのｐｄｆを容器へとダウンロードしたい。彼は、彼のコンピュータのデスクトップ上のドキュメントのアイコンを上記デスクトップ上の容器のアイコンへとドラッグすることによりそれを実行する。ドキュメントが、それが後の使用のために利用可能とされる容器へとコピーされる。
【０１３２】
実施例５：フレキシブルテキスタイルディスプレイ
この限定されない実施例において、フレキシブルディスプレイ表面は、例えば、これらには限定されないが技術において知られている複数のＯＬＥＤテキスタイルディスプレイ、またはこの発明の装置を使用すると同時に追跡されかつ投影された複数のホワイトテキスタイルなどの複数の電子テキスタイルディスプレイから構成される。これらの複数のテキスタイルディスプレイは、人間により身に着けられてもよいし、実施例３のように複数のボタンなどの複数のインタラクティブ要素を含んでもよい。上記フレキシブルディスプレイ織物（ファブリック）のある実施形態において、テキスタイルは人間により身に着けられ、ディスプレイは、リアルな織物から作られたドレスもしくは衣類に対して上記プリントを選択するために、デザイン上の織物の種々の質感、複数の色もしくは複数のパタンの外観を迅速に試作するためにファションデザイナにより使用される。もう１つの実施形態において、上記複数のフレキシブルテキスタイルディスプレイ上の上記複数の質感は、ユーザにより永久に身に着けられ、衣類を構成する。ここで、上記フレキシブルディスプレイ衣類は、他の複数のユーザにより電子手段により上記衣類へと送信され、もしくは複数の広告などを現す複数のメッセージを表示してもよい。
【０１３３】
もう１つの実施形態において、フレキシブルテキスタイルディスプレイは、病院内の患者により身に着けられ、これらには限定されないが上記患者のｘ線、ｃｔスキャン、もしくは複数のＭＲＩ画像を含む生命維持に必要な統計を示す複数のカルテおよび複数の画像を表示する。複数の医者は、この発明の複数のインタラクション技術のいずれかと従来技術において知られている任意の技術により上記フレキシブルテキスタイルディスプレイ上に表示された複数のユーザインターフェース要素とインタラクトしてもよい。これは、上記患者の異なる生命維持に必要な統計を選択するために上記ディスプレイ上に表示された複数のボタンまたは複数のメニュー上のタッピングを含む。手術室において、フレキシブルテキスタイルディスプレイは、例えば、針穴外科手術および複数の最小限に侵襲的な手術において複数の外科医を支援するために、複数のモデルまたはこれには限定されないが複数の患者の肉体の内部の複数の要素のｘ線、ｃｔスキャン、ＭＲＩもしくは複数のビデオ画像を含む複数の画像を示すために外科手術における患者の上に覆われる。患者の肉体の中の種々の領域の複数の画像が、表示をあの領域へと移動することにより選択されてもよい。
【０１３４】
実施例６：フレキシブル人間ディスプレイ
代わりに、生命維持に必要な統計、複数のｘ線、複数のｃｔスキャン、複数のＭＲＩ、複数のビデオ画像などの複数の画像は、外科手術を支援もしくは別の方法でガイドするために直接的に患者上へと投影されてもよい。ここで、人間の皮膚自身は、上記皮膚上への投影により、並びに発明の装置により上記皮膚の移動および形状を追跡することによりディスプレイとしての機能を果たす。そのような複数の画像は、この発明の複数の技術、および技術において知られている複数の技術によりユーザによりインタラクトされる複数のユーザインターフェース要素を含んでもよい。例えば、肉体要素のタッピングは、表示のためにあの要素の最も最近のｘ線の写真を持ってきてもよいし、もしくはコンピュータシステムへの入力のフォームとして使用されてもよい。
【０１３５】
実施例７：折り紙フレキシブルディスプレイ
この実施形態において、フレキシブルディスプレイのいくつかのピースは、全体のディスプレイの形状が、例えば折り重ねている折り紙において見られる複数の形状などの種々の３次元形状で折り重ねられるように、フレキシブルヒンジの布、ポリマー、金属、プラスティクもしくは他のフォームによりお互いに対して添えられる。フォールディング動作は、ディスプレイ上の複数の変化へと導き、またはコンピュータ機能性をトリガしてもよい。全体のディスプレイの複数の幾何学的な形状は、複数の振る舞いまたはコンピュータ機能性をトリガしてもよい。
【０１３６】
実施例８：フレキシブル入力装置
この実施形態において、複数のマーカを有するフレキシブルディスプレイ表面は、上記フレキシブル表面でない標準のディスプレイ上に表示するコンピュータシステムへの入力として使用され、上記フレキシブル表面およびこの発明における複数のジェスチャの使用をコンピューティングシステムへの入力装置として可能とさせる。
【０１３７】
すべての引用された複数の特許、複数の特許出願、および公開されたものの内容が、それらの全体において参照により組み込まれる。発明がそれらの例示的な複数の実施形態に関して説明されている一方で、発明の範囲から離れることなしに上記複数の実施形態において種々の変更がなされてもよいことが理解されるであろう。従って、説明された複数の実施形態は単なる例であると考えられるべきで、発明はそれらにより限定されるべきではない。
【図１】
2015232901.tif 000003
【図２】
2015232901.tif 000004
【図３】
2015232901.tif 000005
【図４】
2015232901.tif 000006
【図５】
2015232901.tif 000007
【図６】
2015232901.tif 000008
【図７】
2015232901.tif 000009
【図８】
2015232901.tif 000010
【図９】
2015232901.tif 000011
【図１０】
2015232901.tif 000012
【図１１】
2015232901.tif 000013
【図１２】
2015232901.tif 000014
【図１３】
2015232901.tif 000015
【図１４】
2015232901.tif 000016
【図１５】
2015232901.tif 000017
【図１６】
2015232901.tif 000018
【図１７】
2015232901.tif 000019
【図１８】
2015232901.tif 000020
【図１９】
2015232901.tif 000021
【図２０】
2015232901.tif 000022
【図２１】
2015232901.tif 000023
【図２２Ａ】
2015232901.tif 000024
【図２２Ｂ】
2015232901.tif 000025
【図２３Ａ】
2015232901.tif 000026
【図２３Ｂ】
2015232901.tif 000027
【図２４】
2015232901.tif 000028
【図２５】
2015232901.tif 000029
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
再使用可能な携帯用のインタラクティブな装置であって、
ａ．蓋と、
ｂ．複数の入出力装置と、
ｃ．フレキシブル電子インク、フレキシブル有機発光ダイオード、フレキシブルＬＥＤの複数のアレイ、投影、レーザ、およびペイント可能なディスプレイからなるグループから選択された湾曲したディスプレイを用いたインタラクティブな電子ディスプレイ表面を有する容器部と、
バッテリ、電源コネクタ、ネットワークコネクタ、視聴覚コネクタ、中央演算処理装置、無線ネットワーク送受信機、グラフィックス回路ボード、ＲＡＭメモリ、ファームウェアＲＯＭ、フラッシュおよびハードディスクドライブからなるグループから選択されたコンピューティング装置を備えたベースとを備え、
上記容器もしくはある湾曲されたディスプレイと関連するコンピュータシステムへの入力は、上記ディスプレイ上に配置された湾曲されたタッチスクリーン、または上記容器とジェスチャのインタラクションを用いて、１つもしくはそれ以上の指によるインタラクションを通じて取得され、
上記インタラクティブな装置は、センサにより湾曲されたディスプレイ表面との手動の複数のインタラクションを検知することにより上記コンピュータシステムへの入力を提供するための装置であって、上記複数のインタラクションは、
ａ．１本または２本の手で上記湾曲されたディスプレイ表面を保持することにより、湾曲されたディスプレイ表面と関連する上記コンピュータシステムへの入力としての役目を果たすホールディングと、
ｂ．複数の湾曲されたディスプレイを配置し、照合もしくは積み重ねることにより、個々の複数のディスプレイから構成される１つの連続したディスプレイを作り出し、その後の複数の入力がより大きいディスプレイ表面上で操作されるコロケイティングまたはスタッキングと、
ｃ．ある軸のまわりに上記湾曲されたディスプレイを回転させることにより、上記ディスプレイと関連する上記コンピュータシステムへの入力として役目を果たすターニングまたはロウテイティングと、
ｄ．上記湾曲されたディスプレイを上記湾曲されたディスプレイのある軸と非同軸であるが平行である軸のまわりを移動させることにより、上記湾曲されたディスプレイと関連する上記コンピュータシステムへの入力の手段としての役目を果たすスワーリングと、
ｅ．湾曲されたディスプレイのトップもしくはボトムの複数の先端に沿って、または上記ディスプレイのまさに上へもしくは下へと１本もしくはそれ以上の指を移動させることにより、上記ディスプレイと関連する上記コンピュータシステムへの入力として役目を果たす非平面ストリップスワイピングと、
ｆ．湾曲されたディスプレイ上の閾値近接範囲内に３本の指を置くことにより、上記湾曲されたディスプレイと関連する上記コンピュータシステムへの入力として役目を果たす３本指による非平面ピンチングと、
ｇ．湾曲されたディスプレイ上の固定化された場所の上に第１の指を置く一方で続いて上記ディスプレイの上に第２の指を置き、続いて上記第２の指を上記第１の指から離して移動させることにより、上記ディスプレイと関連する上記コンピュータシステムへの入力としての役目を果たすピンニングアンドスワイピングと、
ｈ．１つの場所で湾曲されたディスプレイを変形させることにより、上記ディスプレイと関連するコンピュータシステムへの入力として役目を果たすデフォーミングと、
ｉ．手、指、もしくはあるツールがその表面上にわたる正弦曲線のパタンで移動される湾曲されたディスプレイ上を擦る動作を提供することにより、上記ディスプレイと関連する上記コンピュータシステムへの入力としての役目を果たすラビングと、
ｊ．湾曲されたディスプレイを傾けることにより、上記ディスプレイと関連する上記コンピュータシステムへの入力としての役目を果たすチルティングと、
ｋ．湾曲されたディスプレイを急速に傾けて、止めて、オプション的にそのおおよその元の方位に戻すことにより、上記ディスプレイと関連する上記コンピュータシステムへの入力としての役目を果たすフリッキングまたはトッスィングと、
ｌ．電子食品もしくは飲料容器を表面上に置いて離すことにより、上記容器と関連する上記コンピュータシステムへの入力としての役目を果たすレスティング（レストすること）と、
ｍ．電子食品もしくは飲料容器を口に持っていくこと、上記容器から飲料を飲むこと、または上記容器を満たすことから構成されるグループから選択された動作により、上記容器に関連する上記コンピュータシステムへの入力としての役目を果たすドリンキング、フィリングおよび流動体レベルと、
ｎ．電子食品もしくは飲料容器の蓋を開閉することにより、上記容器に関連する上記コンピュータシステムへの入力としての役目を果たすオープニングおよびクロージングと、
ｏ．第２の上記容器の上方に電子食品もしくは飲料容器を保持し、続けて上記第１の容器を傾けることにより、容器のいずれかもしくは両方と関連する上記コンピュータシステムへの入力としての役目を果たすマルチデバイスポアリングと、
ｐ．ユーザの１本もしくはそれ以上の指を湾曲されたディスプレイ表面の指定された部分に置くことにより、関連した複数の指紋が上記ユーザによる上記湾曲されたディスプレイ表面上の情報へのアクセスを認証する目的で分析される指紋スキャニングと、
ｑ．ユーザの上記容器上の情報へのアクセスを認証する目的で上記ユーザの顔が電子食品もしくは飲料容器により識別される顔検出と、
から構成されるグループから選択されることを特徴とするインタラクティブな装置。
【請求項２】
上記センサは、１つもしくはそれ以上の６ＤＯＦ加速度計、ジャイロスコープ、ベンドセンサ、タッチスクリーン、容量タッチセンサ、心拍センサ、電気皮膚コンダクタセンサ、アルファダイアル電位差計、赤外線コンピュータ視覚のもしくは動き捕捉センサ、ビデオカメラ、スチルカメラ、湿度計、液体レベルセンサ、電位差液体化学センサ、高度計、温度計、力センサ、圧力センサ、マイクロフォン、ＧＰＳ、複数のボタン、光電子センサ、近接センサ、１つもしくはそれ以上のＲＦＩＤタグ、指紋リーダ、およびコンパスとから構成されるグループから選択されることを特徴とする請求項１記載のインタラクティブな装置。
【請求項３】
上記コンピュータシステムへの上記入力は、ある命令を上記コンピュータシステム上で実行させ、上記命令は、
ａ．上記コンピュータシステムがスリープから目を覚まし、上記ディスプレイ、コンピュテーションもしくはディスプレイ上のウィンドウをアクティブにするアクティブと、
ｂ．上記スクリーン上のグラフィックオブジェクトを選択する選択と、
ｃ．上記コンピュータシステムもしくはディスプレイと関連するファイル、画像、テキスト、またはいくつかの他のデジタル情報のコンテンツのセクションが、もう１つのコンピュータシステムもしくはディスプレイ、または上記コンピュータシステムもしくはディスプレイと同一のコンピュータシステムもしくはディスプレイ上のいくつかの異なる論理上の場所へと転送される、グラフィックオブジェクトもしくは情報をコピーしてペーストするペーストと、
ｄ．ファイル、ドキュメントもしくはアプリケーションの画像もしくはコンテンツの断片が、上記ディスプレイ上にレンダリングされ、上記断片は以前にレンダリングされ、上記断片は上記ディスプレイ上に以前にレンダリングされた上記画像もしくはコンテンツの断片に対して空間的に連続しているスクロールと、
ｅ．スクリーン上のオブジェクトまたは情報を、上記スクリーン上の１つの場所からもう１つの場所へと移動させるドラッグと、
ｆ．コンテンツを調べるためにビューアを開くブラウズ／ナビゲートと、
ｇ．選択された場合、他の複数の動作をトリガする複数のオプションのリストを表示するためのメニューと、
ｈ．サウンドまたは音楽をプレイするためのプレイサウンドと、
ｉ．コンピュータアプリケーションを開始するためのスタートアプリケーションと、
ｊ．表示している複数のオフスクリーングラフィックス環境間を移動させるための複数の空間と、
ｋ．スクリーン上の情報を拡大または縮小させるためのリサイズ／スケールと、
ｌ．他人と情報を共有するためのシェアと、
ｍ．上記スクリーン上で読むためにドキュメントを開き、またはそれを閉じ、またはその現在の状態におけるドキュメントを保存するためのオープン、セーブ、またはクローズと、
ｎ．ビデオ会議、電話、テキストメッセージもしくは電子メールすること、または上記サービスへの接続を開くためのコミュニィケイトと、
ｏ．ネットワーク、または他の容器へ接続するためのコネクトと、
ｐ．ユーザのソーシャルネットワークまたはオンラインステータスを接続し、もしくは変更し、または容器コンテンツを他人へ、もしくは他の複数の容器へ通信するためのソーシャルネットワークと、
ｑ．無線ネットワークを介して複数のドリンクを注文するか、もしくは予め注文するためのオーダと、
ｒ．アイデンティティの検証と同時に容器上のデジタルコンテンツへのアクセスを可能とするために認証する認証と、
から構成されるグループから選択されることを特徴とする請求項１記載のインタラクティブな装置。
【請求項４】
上記インタラクティブな装置は、電子食品もしくは飲料容器を通じて、栄養のもしくはカロリーの値、複数の炭素クレジットもしくは複数の炭素オフセット、または注文されたもしくは消費された複数の飲料もしくは複数の食品アイテムの容量を追跡するために使用され、
ａ．オプション的に、上記容器は、上記容器上に配置された入力装置により上記栄養のもしくはカロリーの値を測定することにより、上記容器を通じて消費された複数の飲料もしくは複数の食品の栄養のもしくはカロリーの値を識別し、
ｂ．オプション的に、上記複数の飲料もしくは複数の食品アイテムの供給メーカーは、上記容器の注文の発行と同時に、上記容器といくつかの有線のもしくは無線の通信により栄養値、カロリー値、炭素クレジットもしくは炭素オフセットについての情報を通信し、
ｃ．上記容器、もしくはいくつかの関連するオンラインデータベースは、複数の飲料もしくは食品アイテム、および上記容器を通じて消費された上記複数の飲料もしくは複数の食品アイテムの容量に関する情報を保持することを特徴とする請求項１記載のインタラクティブな装置。
【請求項５】
上記インタラクティブな装置は、電子トラベル、イベントもしくは入場チケットを購入するために使用され、
電子食品もしくは飲料容器上に配置されたユーザインターフェースを動作させ、上記チケットと関連する複数の権利を成立させると同時に、上記複数の権利へのアクセスが上記容器との電子通信により上記チケットの電子検証後のみ提供されるステップとを備えたことを特徴とする請求項１記載のインタラクティブな装置。
【請求項６】
上記インタラクティブな装置は、製品補給ステーションと通信するように構成され、
ａ．製品補給ステーションは、上記製品補給ステーション内もしくは上記ステーション上に上記容器を置くと同時に、電力もしくはソフトウェアを上記容器に対して提供し、
ｂ．容器は、上記製品補給ステーション内もしくは上記ステーション上に上記容器を置くと同時に、上記容器上で実行された複数の製品注文を上記製品補給ステーションへ通信し、
ｃ．オプション的に、上記製品補給ステーションは、上記容器をクリーニングし、
ｄ．オプション的に、上記注文は複数の材料のレシピから構成され、上記注文は上記レシピに従ってサイト上複数の材料を混合することにより実行され、
ｅ．製品補給ステーションは、上記容器を上記注文でいっぱいにすることにより上記注文を実行し、
ｆ．上記容器との通信により、および上記容器もしくは製品補給ステーションと関連するある電子支払いシステムにより、上記注文に対する支払いを準備することを特徴とする請求項１記載のインタラクティブな装置。
【外国語明細書】
2015232901.tif 000030
2015232901.tif 000031
2015232901.tif 000032
2015232901.tif 000033
2015232901.tif 000034
2015232901.tif 000035
2015232901.tif 000036
2015232901.tif 000037
2015232901.tif 000038
2015232901.tif 000039
2015232901.tif 000040
2015232901.tif 000041
2015232901.tif 000042
2015232901.tif 000043
2015232901.tif 000044
2015232901.tif 000045
2015232901.tif 000046
2015232901.tif 000047
2015232901.tif 000048
2015232901.tif 000049
2015232901.tif 000050
2015232901.tif 000051
2015232901.tif 000052
2015232901.tif 000053
2015232901.tif 000054
2015232901.tif 000055
2015232901.tif 000056
2015232901.tif 000057
2015232901.tif 000058
2015232901.tif 000059
2015232901.tif 000060
2015232901.tif 000061
2015232901.tif 000062
2015232901.tif 000063
2015232901.tif 000064
2015232901.tif 000065
2015232901.tif 000066
2015232901.tif 000067
2015232901.tif 000068
2015232901.tif 000069
2015232901.tif 000070
2015232901.tif 000071
2015232901.tif 000072
2015232901.tif 000073
2015232901.tif 000074
2015232901.tif 000075
2015232901.tif 000076
2015232901.tif 000077
2015232901.tif 000078
2015232901.tif 000079
2015232901.tif 000080
2015232901.tif 000081
2015232901.tif 000082
2015232901.tif 000083
2015232901.tif 000084
2015232901.tif 000085
2015232901.tif 000086
2015232901.tif 000087
2015232901.tif 000088
2015232901.tif 000089
2015232901.tif 000090
2015232901.tif 000091
2015232901.tif 000092
2015232901.tif 000093
2015232901.tif 000094
2015232901.tif 000095
2015232901.tif 000096
2015232901.tif 000097
2015232901.tif 000098
2015232901.tif 000099
2015232901.tif 000100
2015232901.tif 000101
2015232901.tif 000102
2015232901.tif 000103
2015232901.tif 000104
2015232901.tif 000105
2015232901.tif 000106
2015232901.tif 000107
2015232901.tif 000108
2015232901.tif 000109
2015232901.tif 000110
2015232901.tif 000111
2015232901.tif 000112
2015232901.tif 000113
2015232901.tif 000114
2015232901.tif 000115
2015232901.tif 000116
2015232901.tif 000117